(57)【要約】【課題】非軸光学系の特長を十分に活かすとともに、ズーミング中に像面中心位置をほぼ一定に保ちながら品質の高い像を得ることのできるズーミング方法を提供する。【解決手段】撮像光学系ＺＬは、複数の光学面と絞りＳＴを有し、複数の光学面のうちの少なくとも１面として偏芯した反射面Ｓ１０，Ｓ１３を有する。偏芯した反射面Ｓ１０，Ｓ１３を有する第２，第３プリズムＰ２，Ｐ３を移動群として、その移動群(第２群Ｇｒ２，第３群Ｇｒ３)の平行移動と回転移動により、軸上の結像位置と軸上主光線の像面Ｓ１５への入射角度とをほぼ一定に保ちながら、全系の焦点距離を変化させる。【選択図】図１
2008015114.tif 000002
【特許請求の範囲】
【請求項１】
複数の光学面と絞りを有し、前記複数の光学面のうちの少なくとも１面として偏芯した反射面を有する光学系のズーミング方法であって、前記偏芯した反射面を少なくとも１面有する群を移動群として、その移動群の平行移動と回転移動により、軸上の結像位置と軸上主光線の像面への入射角度とをほぼ一定に保ちながら、全系の焦点距離を変化させることを特徴とするズーミング方法。
【請求項２】
前記移動群が、前記光学面として前記偏芯した反射面のみを有する光学素子、前記光学面として前記偏芯した反射面とその他の光学面とを有する光学素子、それらの組み合わせ、又はそれらのうちの少なくとも１つと他の光学素子との組み合わせから成ることを特徴とする請求項１記載のズーミング方法。
【請求項３】
前記光学系が前記移動群を複数有し、前記平行移動と回転移動を個々の移動群について行うことを特徴とする請求項１又は２記載のズーミング方法。
【請求項４】
前記移動群として、軸上入射主光線と軸上射出主光線とが平行でないものを少なくとも１つ有することを特徴とする請求項１〜３のいずれか１項に記載のズーミング方法。
【請求項５】
前記移動群として、ズーミング中のパワーが一定でないものを少なくとも１つ有することを特徴とする請求項１〜４のいずれか１項に記載のズーミング方法。
【請求項６】
前記移動群として、ズーミング中の任意の焦点距離状態で以下の条件式(1)を満足するものを少なくとも１つ有することを特徴とする請求項１〜５のいずれか１項に記載のズーミング方法；
｜(φi−φjW)／φallW｜＜10.0  …(1)
ただし、
φi：ズーミング中の任意の焦点距離状態における移動群のパワー、
φjW：ワイド端における移動群のパワー、
φallW：ワイド端における全系のパワー、
である。
【請求項７】
前記移動群として、ズーミング中のある焦点距離状態で以下の条件式(2)を満足するものを少なくとも１つ有することを特徴とする請求項１〜６のいずれか１項に記載のズーミング方法；
｜φk／φall｜＜30.0  …(2)
ただし、
φk：ズーミング中のある焦点距離状態における移動群のパワー、
φall：ズーミング中のある焦点距離状態における全系のパワー、
である。
【請求項８】
前記偏芯した反射面として、自由曲面から成るものを少なくとも１面有することを特徴とする請求項１〜７のいずれか１項に記載のズーミング方法。
【請求項９】
前記偏芯した反射面として、非回転対称な面から成るものを少なくとも１面有することを特徴とする請求項１〜８のいずれか１項に記載のズーミング方法。
【請求項１０】
前記光学系を構成する光学素子の少なくとも１つがプラスチック材料から形成されていることを特徴とする請求項１〜９のいずれか１項に記載のズーミング方法。
【請求項１１】
前記プラスチック材料がアサーマル樹脂であることを特徴とする請求項１０記載のズーミング方法。
【請求項１２】
前記光学系が撮像素子の受光面上に物体の光学像を形成するための撮像光学系であることを特徴とする請求項１〜１１のいずれか１項に記載のズーミング方法。
【請求項１３】
複数の光学面と絞りを有し、前記複数の光学面のうちの少なくとも１面として偏芯した反射面を有する光学系のズーミング方法であって、前記光学系が前記偏芯した反射面を少なくとも１面有するプリズム光学素子を少なくとも１つ有し、そのうちの少なくとも１つのプリズム光学素子を含む群を移動群として、その移動群の平行移動と回転移動により、軸上の結像位置と軸上主光線の像面への入射角度とをほぼ一定に保ちながら、全系の焦点距離を変化させることを特徴とするズーミング方法。
【請求項１４】
前記移動群が、前記光学面として前記偏芯した反射面のみを有するプリズム光学素子、前記光学面として前記偏芯した反射面とその他の光学面とを有するプリズム光学素子、それらの組み合わせ、又はそれらのうちの少なくとも１つと他の光学素子との組み合わせから成ることを特徴とする請求項１３記載のズーミング方法。
【請求項１５】
前記光学系が前記移動群を複数有し、前記平行移動と回転移動を個々の移動群について行うことを特徴とする請求項１３又は１４記載のズーミング方法。
【請求項１６】
前記移動群として、軸上入射主光線と軸上射出主光線とが平行でないものを少なくとも１つ有することを特徴とする請求項１３〜１５のいずれか１項に記載のズーミング方法。
【請求項１７】
前記移動群として、ズーミング中のパワーが一定でないものを少なくとも１つ有することを特徴とする請求項１３〜１６のいずれか１項に記載のズーミング方法。
【請求項１８】
前記移動群として、ズーミング中の任意の焦点距離状態で以下の条件式(1)を満足するものを少なくとも１つ有することを特徴とする請求項１３〜１７のいずれか１項に記載のズーミング方法；
｜(φi−φjW)／φallW｜＜10.0  …(1)
ただし、
φi：ズーミング中の任意の焦点距離状態における移動群のパワー、
φjW：ワイド端における移動群のパワー、
φallW：ワイド端における全系のパワー、
である。
【請求項１９】
前記移動群として、ズーミング中のある焦点距離状態で以下の条件式(2)を満足するものを少なくとも１つ有することを特徴とする請求項１３〜１８のいずれか１項に記載のズーミング方法；
｜φk／φall｜＜30.0  …(2)
ただし、
φk：ズーミング中のある焦点距離状態における移動群のパワー、
φall：ズーミング中のある焦点距離状態における全系のパワー、
である。
【請求項２０】
前記偏芯した反射面として、自由曲面から成るものを少なくとも１面有することを特徴とする請求項１３〜１９のいずれか１項に記載のズーミング方法。
【請求項２１】
前記偏芯した反射面として、非回転対称な面から成るものを少なくとも１面有することを特徴とする請求項１３〜２０のいずれか１項に記載のズーミング方法。
【請求項２２】
前記光学系を構成する光学素子の少なくとも１つがプラスチック材料から形成されていることを特徴とする請求項１３〜２１のいずれか１項に記載のズーミング方法。
【請求項２３】
前記プラスチック材料がアサーマル樹脂であることを特徴とする請求項２２記載のズーミング方法。
【請求項２４】
前記光学系が撮像素子の受光面上に物体の光学像を形成するための撮像光学系であることを特徴とする請求項１３〜２３のいずれか１項に記載のズーミング方法。
【発明の詳細な説明】
【技術分野】
【０００１】
本発明は光学系のズーミング方法に関するものであり、例えば、撮像光学系，投影光学系等、あらゆるタイプの非軸光学系に用いられるズーミング方法に関するものである。撮像光学系としては、例えば、画像入力機能付きデジタル機器(例えば携帯電話機)において撮像素子の受光面上に被写体の光学像を形成する光学系が挙げられ、投影光学系としては、例えば、プロジェクターにおいて表示素子の画像をスクリーン上に投影する光学系が挙げられる。
【背景技術】
【０００２】
近年、撮像光学系や投影光学系を小型化するために、偏芯した光学面(例えば非回転対称な曲面形状を有する自由曲面等)を用いて光路を折り曲げる非軸光学系の開発が行われている。非軸光学系で撮像光学系や投影光学系を構成した場合でも、それらの実際の活用を考えると、撮影倍率や投影倍率を可変とするズーミング機能があれば便利である。従来より提案されている非軸光学系のズーミング方法としては、例えば、特許文献１〜５等で提案されているものが挙げられる。特許文献１記載の非軸光学系では、ズーミング中に移動する群の軸上入射主光線と軸上射出主光線とが平行になっており、その方向に対して平行に群を移動させることによりズーミングを実現している。また、特許文献２〜５記載の非軸光学系では、移動群を回転させることによりズーミングを実現している。
【０００３】
偏芯した光学レンズを用いた投影光学系のフォーカシング方法については、特許文献６〜８記載のものが挙げられる。特許文献６〜８では、T.Scheimpflugの理論を用いた、物体面と像面の傾きの関係を満たす、台形歪の少ない光学系が提案されている。具体的な数値実施例の記載は無いが、その構成は共軸系レンズが光軸に対し傾いた場合の光学系について成り立っており、傾いた物面に対しT.Scheimpflugの理論が成り立つように共軸系レンズを配置することにより、台形歪の少ない像を得るようにしている。そしてフォーカシングは、T.Scheimpflugの理論が成り立つように、光学レンズ，像面位置，物体面位置を変化させることにより実現している。
【特許文献１】特開平８−２９２３６８号公報
【特許文献２】特開２００５−２５７７１３号公報
【特許文献３】特開２００５−２８３７１７号公報
【特許文献４】特開２００５−２８３７１８号公報
【特許文献５】特開２００５−３００５８８号公報
【特許文献６】特開平５−８０４１８号公報
【特許文献７】特開平５−１１３６００号公報
【特許文献８】特開平６−１４８５６６号公報
【発明の開示】
【発明が解決しようとする課題】
【０００４】
特許文献１で提案されているズーミング方法では、ズーミングのために移動させる移動群の軸上入射主光線と軸上射出主光線とが平行になっており、その方向に対して平行に移動群を移動させることによりズーミングが行われる。非軸光学系における光路の折り曲げは、小型化・薄型化を実現する上で共軸光学系よりも有効である。つまり、光学系や光学素子の軸上入射主光線と軸上射出主光線とを平行にすると、光路を折りたたむことによる小型化や薄型化の効果が薄れてしまい、非軸光学系のメリットを十分に発揮できなくなるのである。
【０００５】
特許文献２〜５で提案されているズーミング方法では、光学素子を回転させることによりズーミングが行われ、ズーミング中に像面中心の主光線(つまり軸上主光線)の像面への入射角度が変動する。特に軸上主光線の入射が像面に対して垂直からも大きく変化すると、その位置での光量の偏りが生じ、非対称な明るさ分布となって像に明るさムラが生じる。したがって、これらのズーミング方法では像の明るさムラが発生し、特にズーミングに伴ってそのムラが変化するためきれいな像が得られず、実用的でない。
【０００６】
特許文献６〜８で提案されているフォーカシング方法は、偏芯した反射面を用いた、偏芯のより大きな非軸光学系の場合、適用が困難である。そのような非軸光学系には、T.Scheimpflugの理論が適用できないからである。T.Scheimpflugの理論を適用するためには、１本の直線から成る光軸が必要であるが、非軸光学系にはそのような軸は通常存在しない。したがって、特許文献６〜８で提案されているフォーカシング方法をズーミングに適用しようとしても、光路を折り曲げたような積極的な非軸光学系のズーミングを行うことは不可能である。
【０００７】
本発明はこのような状況に鑑みてなされたものであって、その目的は、非軸光学系の特長を十分に活かすとともに、ズーミング中に像面中心位置をほぼ一定に保ちながら品質の高い像を得ることのできるズーミング方法を提供することにある。
【課題を解決するための手段】
【０００８】
上記目的を達成するために、第１の発明のズーミング方法は、複数の光学面と絞りを有し、前記複数の光学面のうちの少なくとも１面として偏芯した反射面を有する光学系のズーミング方法であって、前記偏芯した反射面を少なくとも１面有する群を移動群として、その移動群の平行移動と回転移動により、軸上の結像位置と軸上主光線の像面への入射角度とをほぼ一定に保ちながら、全系の焦点距離を変化させることを特徴とする。
【０００９】
第２の発明のズーミング方法は、上記第１の発明において、前記移動群が、前記光学面として前記偏芯した反射面のみを有する光学素子、前記光学面として前記偏芯した反射面とその他の光学面とを有する光学素子、それらの組み合わせ、又はそれらのうちの少なくとも１つと他の光学素子との組み合わせから成ることを特徴とする。
【００１０】
第３の発明のズーミング方法は、上記第１又は第２の発明において、前記光学系が前記移動群を複数有し、前記平行移動と回転移動を個々の移動群について行うことを特徴とする。
【００１１】
第４の発明のズーミング方法は、上記第１〜第３のいずれか１つの発明において、前記移動群として、軸上入射主光線と軸上射出主光線とが平行でないものを少なくとも１つ有することを特徴とする。
【００１２】
第５の発明のズーミング方法は、上記第１〜第４のいずれか１つの発明において、前記移動群として、ズーミング中のパワーが一定でないものを少なくとも１つ有することを特徴とする。
【００１３】
第６の発明のズーミング方法は、上記第１〜第５のいずれか１つの発明において、前記移動群として、ズーミング中の任意の焦点距離状態で以下の条件式(1)を満足するものを少なくとも１つ有することを特徴とする。
｜(φi−φjW)／φallW｜＜10.0  …(1)
ただし、
φi：ズーミング中の任意の焦点距離状態における移動群のパワー、
φjW：ワイド端における移動群のパワー、
φallW：ワイド端における全系のパワー、
である。
【００１４】
第７の発明のズーミング方法は、上記第１〜第６のいずれか１つの発明において、前記移動群として、ズーミング中のある焦点距離状態で以下の条件式(2)を満足するものを少なくとも１つ有することを特徴とする。
｜φk／φall｜＜30.0  …(2)
ただし、
φk：ズーミング中のある焦点距離状態における移動群のパワー、
φall：ズーミング中のある焦点距離状態における全系のパワー、
である。
【００１５】
第８の発明のズーミング方法は、上記第１〜第７のいずれか１つの発明において、前記偏芯した反射面として、自由曲面から成るものを少なくとも１面有することを特徴とする。
【００１６】
第９の発明のズーミング方法は、上記第１〜第８のいずれか１つの発明において、前記偏芯した反射面として、非回転対称な面から成るものを少なくとも１面有することを特徴とする。
【００１７】
第１０の発明のズーミング方法は、上記第１〜第９のいずれか１つの発明において、前記光学系を構成する光学素子の少なくとも１つがプラスチック材料から形成されていることを特徴とする。
【００１８】
第１１の発明のズーミング方法は、上記第１０の発明において、前記プラスチック材料がアサーマル樹脂であることを特徴とする。
【００１９】
第１２の発明のズーミング方法は、上記第１〜第１１のいずれか１つの発明において、前記光学系が撮像素子の受光面上に物体の光学像を形成するための撮像光学系であることを特徴とする。
【００２０】
第１３の発明のズーミング方法は、複数の光学面と絞りを有し、前記複数の光学面のうちの少なくとも１面として偏芯した反射面を有する光学系のズーミング方法であって、前記光学系が前記偏芯した反射面を少なくとも１面有するプリズム光学素子を少なくとも１つ有し、そのうちの少なくとも１つのプリズム光学素子を含む群を移動群として、その移動群の平行移動と回転移動により、軸上の結像位置と軸上主光線の像面への入射角度とをほぼ一定に保ちながら、全系の焦点距離を変化させることを特徴とする。
【００２１】
第１４の発明のズーミング方法は、上記第１３の発明において、前記移動群が、前記光学面として前記偏芯した反射面のみを有するプリズム光学素子、前記光学面として前記偏芯した反射面とその他の光学面とを有するプリズム光学素子、それらの組み合わせ、又はそれらのうちの少なくとも１つと他の光学素子との組み合わせから成ることを特徴とする。
【００２２】
第１５の発明のズーミング方法は、上記第１３又は第１４の発明において、前記光学系が前記移動群を複数有し、前記平行移動と回転移動を個々の移動群について行うことを特徴とする。
【００２３】
第１６の発明のズーミング方法は、上記第１３〜第１５のいずれか１つの発明において、前記移動群として、軸上入射主光線と軸上射出主光線とが平行でないものを少なくとも１つ有することを特徴とする。
【００２４】
第１７の発明のズーミング方法は、上記第１３〜第１６のいずれか１つの発明において、前記移動群として、ズーミング中のパワーが一定でないものを少なくとも１つ有することを特徴とする。
【００２５】
第１８の発明のズーミング方法は、上記第１３〜第１７のいずれか１つの発明において、前記移動群として、ズーミング中の任意の焦点距離状態で以下の条件式(1)を満足するものを少なくとも１つ有することを特徴とする。
｜(φi−φjW)／φallW｜＜10.0  …(1)
ただし、
φi：ズーミング中の任意の焦点距離状態における移動群のパワー、
φjW：ワイド端における移動群のパワー、
φallW：ワイド端における全系のパワー、
である。
【００２６】
第１９の発明のズーミング方法は、上記第１３〜第１８のいずれか１つの発明において、前記移動群として、ズーミング中のある焦点距離状態で以下の条件式(2)を満足するものを少なくとも１つ有することを特徴とする。
｜φk／φall｜＜30.0  …(2)
ただし、
φk：ズーミング中のある焦点距離状態における移動群のパワー、
φall：ズーミング中のある焦点距離状態における全系のパワー、
である。
【００２７】
第２０の発明のズーミング方法は、上記第１３〜第１９のいずれか１つの発明において、前記偏芯した反射面として、自由曲面から成るものを少なくとも１面有することを特徴とする。
【００２８】
第２１の発明のズーミング方法は、上記第１３〜第２０のいずれか１つの発明において、前記偏芯した反射面として、非回転対称な面から成るものを少なくとも１面有することを特徴とする。
【００２９】
第２２の発明のズーミング方法は、上記第１３〜第２１のいずれか１つの発明において、前記光学系を構成する光学素子の少なくとも１つがプラスチック材料から形成されていることを特徴とする。
【００３０】
第２３の発明のズーミング方法は、上記第２２の発明において、前記プラスチック材料がアサーマル樹脂であることを特徴とする。
【００３１】
第２４の発明のズーミング方法は、上記第１３〜第２３のいずれか１つの発明において、前記光学系が撮像素子の受光面上に物体の光学像を形成するための撮像光学系であることを特徴とする。
【発明の効果】
【００３２】
本発明によれば、移動群の平行移動と回転移動により、軸上の結像位置と軸上主光線の像面への入射角度とをほぼ一定に保ちながら全系の焦点距離を変化させる構成になっているので、非軸光学系の特長を十分に活かすとともに、ズーミング中に像面中心位置をほぼ一定に保ちながら品質の高い像を得ることができる。
【発明を実施するための最良の形態】
【００３３】
以下、本発明に係るズーミング方法の実施の形態を、図面を参照しつつ説明する。図１〜図３に、第１〜第３の実施の形態のズーミング方法を採用した撮像光学系ＺＬの光学構成をそれぞれ光学断面で示す。図１〜図３中、(Ａ)はワイド端(最短焦点距離状態，Ｗ)、(Ｂ)はミドル(中間焦点距離状態，Ｍ)、(Ｃ)はテレ端(最長焦点距離状態，Ｔ)での光学配置，光路等をそれぞれ示している。また図１〜図３中、Ｓｉ(ｉ＝１，２，３，．．．)が付された面は物体側から数えてｉ番目の面であり、Ｓｉに＊印が付された面は自由曲面であり、第１面Ｓ１は後述する各面頂点位置を表すためのダミー面(基準面)である。
【００３４】
各実施の形態に係る撮像光学系ＺＬはいずれも、撮像素子{例えば、ＣＣＤ(Charge Coupled Device)等の固体撮像素子}ＳＲの受光面上に物体(すなわち被写体)の光学像を形成するためのズーム光学系であり、物体側から順に、固定群である第１群Ｇｒ１と、移動群である第２群Ｇｒ２と、移動群である第３群Ｇｒ３と、の３群ズーム構成になっている。第１群Ｇｒ１は第１プリズムＰ１，レンズＬＮ及び絞りＳＴから成っており、第２群Ｇｒ２は第２プリズムＰ２から成っており、第３群Ｇｒ３は第３プリズムＰ３から成っている。
【００３５】
第１〜第３の実施の形態の光学構成を光路順に説明する。撮像光学系ＺＬの最も物体側の面である第２面Ｓ２は、第１プリズムＰ１の入射面である。その第２面Ｓ２から撮像光学系ＺＬに入射してきた光線は、反射面である第３面Ｓ３(第１反射面)で反射されて第４面Ｓ４に向かう。第４面Ｓ４は全反射面(第２反射面)であり、第４面Ｓ４で反射された光線は第５面Ｓ５を透過する。第５面Ｓ５は第１プリズムＰ１の射出面であり、第５面Ｓ５から第１プリズムＰ１を射出した光線はレンズＬＮの第６面Ｓ６に入射する。
【００３６】
第５面Ｓ５から第１プリズムＰ１を射出した光線は、レンズＬＮを透過する。第６面Ｓ６はレンズＬＮの入射面であり、第７面Ｓ７はレンズＬＮの射出面である。したがって、第６面Ｓ６からレンズＬＮに入射した光線は、第７面Ｓ７からレンズＬＮを射出することになる。レンズＬＮを透過した光線は、絞りＳＴの第８面Ｓ８に向かう。なお、第２面Ｓ２から第７面Ｓ７までは全て自由曲面である。また、第２面Ｓ２から第８面Ｓ８(絞り面)までが第１群Ｇｒ１であり、ズーミング全体を通じて固定である。
【００３７】
第８面Ｓ８の絞りＳＴを通過した光線は、第２プリズムＰ２に向かう。第２プリズムＰ２の最も物体側の面である第９面Ｓ９は、第２プリズムＰ２の入射面である。その第９面Ｓ９から第２プリズムＰ２に入射してきた光線は、反射面である第１０面Ｓ１０(第３反射面)で反射されて第１１面Ｓ１１に向かう。第１１面Ｓ１１は第２プリズムＰ２の射出面であり、第１１面Ｓ１１から第２プリズムＰ２を射出した光線は、第３プリズムＰ３の第１２面Ｓ１２に入射する。なお、第９面Ｓ９から第１１面Ｓ１１までが第２群Ｇｒ２(第１の移動群)であり、全て自由曲面から成っている。
【００３８】
第１２面Ｓ１２は第３プリズムＰ３の入射面であり、その第１２面Ｓ１２から第３プリズムＰ３に入射してきた光線は、反射面である第１３面Ｓ１３(第４反射面)で反射された後、第１４面Ｓ１４を透過する。第１４面Ｓ１４は第３プリズムＰ３の射出面であり、第１４面Ｓ１４から第３プリズムＰ３を射出した光線は撮像素子ＳＲに向かう。なお、第１２面Ｓ１２から第１４面Ｓ１４までが第３群Ｇｒ３(第２の移動群)であり、全て自由曲面から成っている。
【００３９】
第３プリズムＰ３を射出した光線は、像面(第１５面Ｓ１５)に相当する撮像素子ＳＲの受光面に到達して、撮像素子ＳＲの受光面上に被写体の光学像を形成する。形成された光学像は、撮像素子ＳＲによって電気的な信号に変換される。ここでいう「撮像素子」とは、受光面が平面の２次元的なものである。２次元的な撮像素子は、水平方向と垂直方向に広がりを持つため、用いる撮像光学系も複雑になり、性能を劣化させる収差も複雑である。その補正のためには、各実施の形態のように、自由曲面等の回転非対称な面を適切に設定して用いるのが好ましい。
【００４０】
各実施の形態の撮像光学系ＺＬは、複数の光学面Ｓ２〜Ｓ１４と絞りＳＴを有しており、第２群Ｇｒ２が偏芯した反射面として第１０面Ｓ１０を有しており、第３群Ｇｒ３が偏芯した反射面として第１３面Ｓ１３を有している。各実施の形態におけるズーミングは、第２群Ｇｒ２と第３群Ｇｒ３を移動群として、その個々の移動群の平行移動と回転移動により、軸上の結像位置と軸上主光線の像面への入射角度とをほぼ一定に保ちながら、全系の焦点距離を変化させることにより行われる。このように、偏芯した反射面を少なくとも１面有する群を移動群として、その移動群の平行移動と回転移動により、軸上の結像位置をほぼ一定に保ちながら全系の焦点距離を変化させるズーミング方法は、複数の光学面と絞りを有し、その複数の光学面のうちの少なくとも１面として偏芯した反射面を有する光学系であれば適用可能であり、各実施の形態に係るズーム光学系への適用に限るものではない。以下に、その特徴的な構成、作用効果等を説明する。
【００４１】
一般に、光学系を薄型にするには、偏芯した反射面で光路を折り曲げて配置するのが有効である。そのような配置にすることにより、共軸光学系よりもはるかに厚みの薄い光学系を実現することができる。また、光学系の焦点距離を変える、いわゆるズーミング機能があると便利である。光学系にズーミング機能を持たせれば、例えば、撮像光学系の場合には画角や撮影倍率を変えることができ、投影光学系の場合には投影倍率を変えることができる。
【００４２】
共軸光学系のズーミングでは、光学系内の光学面や光学素子を幾つかの固まり(「群」と呼ぶ)に分け、それらを個々に又はそれらのいくつかを一体に、光軸に沿って移動させることにより、光学系全体の焦点距離を変化させるのが一般的である。共軸光学系の場合、通常、直線で表される光軸が存在し、その光軸は軸上主光線と一致する。ズーミングに際して移動する群(すなわち移動群)は、光軸上をその光軸に対して平行に移動することによりズーミングを行う。言い換えると、移動群はズーミングに際し、それに入射する軸上主光線(すなわち軸上入射主光線)と、そこから射出する軸上主光線(すなわち軸上射出主光線)と、に対して平行な方向に移動する。
【００４３】
ここで、共軸光学系において焦点距離が変わる原理を、正負の２群ズームタイプの場合を例に挙げて説明する。図４０に示すように、光学系を薄肉系として考える。第１群Ｇｒ１の焦点距離f1(パワーφ1)を正とし、第２群Ｇｒ２の焦点距離f2(パワーφ2)を負とし、群間の主点間隔をeとすると、全系のパワーφallは、φall＝φ1＋φ2−eφ1φ2で簡単に表される。今、図４１に示すように、主点間隔をワイド端(Ｗ)でeW、テレ端(Ｔ)でeTとなるように、第１群Ｇｒ１と第２群Ｇｒ２を矢印ｍ１，ｍ２の方向にそれぞれ移動させる。そうすると、ワイド端(Ｔ)での全系のパワーφWallは、φWall＝φ1＋φ2−eWφ1φ2となり、テレ端(Ｔ)での全系のパワーφTallは、φTall＝φ1＋φ2−eTφ1φ2となる。主点間隔が群の移動により変わるため、ワイド端(Ｗ)とテレ端(Ｔ)とで全系のパワーを変えることができる。なお、ワイド端(Ｗ)からテレ端(Ｔ)へのズーミングにおいて、第１群Ｇｒ１，第２群Ｇｒ２とも物体側に移動しているのは、像面の位置を一定に保つためである。
【００４４】
次に、ここで扱う偏芯光学系、いわゆる非軸光学系の場合を考える。非軸光学系の場合、一般に共軸光学系が持つような直線から成る光軸は存在しない。そのため、光軸の代わりに基準となる光線を考える。その光線は、物体中心から絞り中心を通り像面中心に至る光線とする。これは軸上光線の主光線であり、これを「ベースレイ」と呼ぶ。この光線を基準とするが、この光線は共軸光学系の場合のような直線ではない。非軸光学系の場合、ベースレイは直線ではないが、これを直線に展開して考えることができる。折れ曲がったベースレイをつないで一本の直線とし、その上に光学面を配置することにより、パワー配置等を考え易くすることが可能である。
【００４５】
非軸光学系の場合のズーミング方法を説明する。ここでの説明には、ハミルトン光学の特性関数を用い、特に、論文「B.D.Stone and G.W.Forbes, "Foundations of first-order layout for asymmetric systems : an application of Hamilton's methods" J.Opt.Soc.Am.A 9,96-109(1992)」で導入された１次特性関数行列を用いる。そして、１次特性関数行列はangle特性関数行列とする。また、ここで考える光学系は、図４２に示す２群構成のズーム光学系とする。ただし、群を構成するものとしては、単独の光学面、複数の光学面、単独の光学素子、複数の光学素子、のいずれでもよく、ズーミング中に一体で移動させる集まり又は一体で固定している集まりを群(いわゆるズーム群)とする。
【００４６】
また、光学系を考えるために、基準となる面を考える。例えば後述する各実施例のように、ズーム光学系の一番前方に基準面を設定する。その基準面にグローバル座標系を設定する。グローバル座標系の原点はベースレイと基準面との交点とし、ベースレイ方向にＺ軸を設定し、紙面の手前から向こう側へＸ軸を設定し、Ｚ軸とＸ軸で右手系を成す方向をＹ軸(Ｙ軸は紙面内にある。)と設定する。以上のようにグローバル座標系を設定し、また、説明を容易にするためズーム光学系はＹ−Ｚ面対称とする。
【００４７】
次に、各群に座標系を導入する。図４２に示すように、各座標系の原点をベースレイＢＲ上に設定する。光学系における第１群Ｇｒ１の前方と後方に、第１群Ｇｒ１に関する座標系を設定する。前方の座標系を第１群前方座標系１Ｆとし、後方の座標系を第１群後方座標系１Ｒとする。各座標系の原点はベースレイＢＲ上にとり、各座標系の軸として、ベースレイＢＲ方向にｚ軸を設定し、ｘ軸をグローバル座標と同じ方向に設定し、ｚ軸とｘ軸で右手系を成す方向をｙ軸と設定する。第２群Ｇｒ２に関する座標系も、第１群Ｇｒ１と同様に設定する。前方の座標系を第２群前方座標系２Ｆとし、後方の座標系を第２群後方座標系２Ｒとする。そして、第１群後方座標系１Ｒと第２群前方座標系２Ｆとを一致させておく。
【００４８】
折れ曲がったベースレイＢＲを直線に展開すると、図４３(Ａ)に示すようになり、各主点位置で表すと図４３(Ｂ)に示すようになる。図４３(Ｂ)において、Ｈ１は第１群Ｇｒ１の前側主点、Ｈ１’は第１群Ｇｒ１の後側主点、Ｈ２は第２群Ｇｒ２の前側主点、Ｈ２’は第２群Ｇｒ２の後側主点、ｅは主点間隔である。
【００４９】
ここで、１次特性関数を用いると、以下の関係が成り立つ。
【数１】
2008015114.tif 000003
【００５０】
以上の関係から、全系の合成パワーは以下に示すようになる。
【数２】
2008015114.tif 000004
【００５１】
ズーミングを行う場合、群の主点間隔が変わるように群を移動させれば、全系のパワー(言い換えれば焦点距離)を変えることができる。しかしながら、非軸光学系の場合は、共軸光学系とは異なる課題がある。つまり、単純な平行移動の場合は、通常、ベースレイが移動してしまう。具体的には、第２群Ｇｒ２が平行に移動した場合、第２群Ｇｒ２へのベースレイＢＲの入射位置が変わり、ベースレイＢＲの通過位置・射出位置と方向が変わることになる。この場合、像面ＩＭへ向かうベースレイＢＲの方向が変わるため、像面ＩＭでのベースレイＢＲの位置、つまり軸上の結像位置が移動してしまう。このような現象が起こると、ズーミング中に軸上位置(中心位置)が移動してしまい、像がズーミング中に動いたり、ふらふらしたりしてしまう。さらに、中心がずれるため、像の周辺に欠ける部分が生じてしまう。いずれにしても実用性はなくなる。
【００５２】
平行移動だけでは軸上射出主光線を一定にできないことを、偏芯した反射面を持つ三角プリズムＰＲ(図４２中の第２群Ｇｒ２)を例に挙げて説明する。図４４(Ａ)は、ある焦点距離状態で三角プリズムＰＲを通過するベースレイＢＲの様子を示している。この三角プリズムＰＲを軸上入射光線(ベースレイＢＲ)方向に平行移動させた場合、そのベースレイＢＲの通過する様子を描いたのが図４４(Ｂ)である(移動後の位置を破線で示す。)。図４４(Ｂ)から分かるように、軸上射出主光線(ベースレイＢＲ)は元の光線位置(実線)からずれている。また、三角プリズムＰＲを軸上射出主光線(ベースレイＢＲ)方向に平行移動させた場合、そのベースレイＢＲの通過する様子を描いたのが図４４(Ｃ)である(移動後の位置を破線で示す。)。この場合も、軸上射出主光線(ベースレイＢＲ)が元の光線位置(実線)からずれていることが分かる。
【００５３】
上記のように、三角プリズムＰＲを平行移動させると、いずれの場合も軸上射出主光線がずれてしまう。ただし、移動群の軸上入射主光線と軸上射出主光線とが平行で、その方向に移動させた場合には、このような現象は生じない。しかしながら、そのような配置は非軸光学系では特別の場合であることが多い。また、そのような配置にすると、光路の折りたたみ効果が少なくなり、大きなスペースが必要となるため、非軸光学系のメリットを十分に活かせなくなる。そして、そのような設計制約が発生する結果として、設計での自由度が少なくなってしまう。
【００５４】
上記課題を解決するには、移動群のズーム移動として平行移動と回転移動を行うのが好ましい。平行移動と回転移動を行うことにより、ベースレイの各面への入射角度及び入射位置を変えることができる。各面の位置，形状及び移動を適切に設定することにより、移動群の最終面から射出するベースレイを、他のズームポジションでのベースレイと一致させることができる。特に、偏芯した反射面があると、そのような配置を取ることが可能となる。これを全ての移動群の個々に要求する必要はない。移動させる群のうち、最後の群から射出するベースレイが一致するように、移動群を個々に平行移動及び回転移動させればよい。移動群のなかには、平行移動のみの群や回転移動のみの群が含まれていても構わない。また、移動群間ではベースレイが移動しても構わない。
【００５５】
図４５に、先の三角プリズムＰＲの平行移動及び回転移動を行った場合を例として示す。三角プリズムＰＲの平行移動及び回転移動を行うと、以下のようにベースレイＢＲが変動する(図４５中、移動後の三角プリズムＰＲとベースレイＢＲの位置を破線で示す。)。まず、三角プリズムＰＲの第１面ｓ１(入射面)とベースレイＢＲとの交点が移動し、さらには第１面ｓ１に対するベースレイＢＲの入射角度が変化する。したがって、この第１面ｓ１から射出するベースレイＢＲの方向が変化する。三角プリズムＰＲの移動前後で、第１面ｓ１からの射出ベースレイＢＲの位置と方向が異なるため、第２面ｓ２(反射面)とベースレイＢＲとの交点位置も異なる。さらには、第２面ｓ２への入射角度が異なるため第２面ｓ２での反射角度も異なる。第２面ｓ２を射出するベースレイＢＲは位置と方向が異なるため、ベースレイＢＲと第３面ｓ３(射出面)との交点位置を変えることが可能である。
【００５６】
第２面ｓ２を射出したベースレイＢＲの位置と方向が異なるため、第３面Ｓ３とベースレイＢＲとの交点位置が変化し、また、第３面Ｓ３への入射角度が異なるため、第３面Ｓ３からの射出角度も変化する。このとき、第３面Ｓ３とベースレイＢＲとの交点を、元の三角プリズムＰＲ位置の射出ベースレイＢＲ上に乗るようにし、その射出方向を元の射出ベースレイＢＲと同じ方向にすれば、射出光線としてのベースレイＢＲは移動しない。このようにするためには、三角プリズムＰＲの平行移動と回転移動が必要であり、その移動により、各面とベースレイＢＲとの交点、及び各面に対する入射角度を変化させることが可能となり、射出ベースレイＢＲを一定とすることが可能となる。ここでは、三角プリズムの移動によるズーミング方法を例示したが、単独の偏芯した光学面や複数の光学面を持つ光学素子の移動によるズーミング方法においても同様であり、平行移動と回転移動により射出ベースレイを一定にすることが可能となる。
【００５７】
図４６に、前述した２群構成のズーム光学系(図４２)について、そのワイド端(Ｗ)とテレ端(Ｔ)での光学配置を示す。また図４７に、折れ曲がったベースレイＢＲを直線に展開したときの各焦点距離状態(Ｗ)，(Ｔ)での光学配置を示す。このとき、ワイド端(Ｗ)とテレ端(Ｔ)での各焦点距離(パワー)は、以下の式で表される。以下の式から分かるように、移動群のパワー(すなわち焦点距離の逆数)が正又は負であれば変倍可能であり、ズーミングを行うことができる。
【数３】
2008015114.tif 000005
【００５８】
従来の共軸光学系と比べると、非軸光学系に用いる上記ズーミング方法には大きな利点がある。例えば、移動群内をベースレイが通る位置は各ズームポジションで異なるため、移動群を構成する各面のパワーはズーミングに伴って変化し、さらには各面のベースレイに沿った間隔も変化する。結果として、移動群のトータルのパワー(焦点距離)を変化させることができる。これは、単独の面を移動させる場合も同じである。これにより、変倍を移動量だけではなく各群のパワーの変化でも負担できるため、移動量を小さくすることができる。このため、移動のスペースを小さくすることが可能となり、光学系をよりコンパクトにすることが可能となる。逆に、同じスペースでも、変倍比を大きくすることが可能となる。この点が、共軸光学系と大きく異なる点の１つであり、ズーム比に対して、非常にコンパクトな光学系を実現することが可能となる。また、移動量の極端に小さい光学系を実現することが可能である。
【００５９】
非軸光学系のＭの係数は、透過面の場合、以下の式で表される。
【数４】
2008015114.tif 000006
【００６０】
また、反射面の場合、非軸光学系のＭの係数は、以下の式で表される。
【数５】
2008015114.tif 000007
ここで、Ｌ11、Ｌ22は各方向の面の曲率、θは入射角度、θ’は射出角度、ｎは入射前の媒質の屈折率、ｎ’は射出後の媒質の屈折率である。
【００６１】
上記式から分かるように、面の曲率が同じでも、反射面を用いた場合の方が２〜４倍、パワーを強くすることができる。非軸光学系のような偏芯した反射面の場合は、共軸光学系と異なり、入射角度θが面のパワーに影響を及ぼす。このθの変動の影響は、cos(θ)について、屈折面に対し反射面の方が２〜４倍、パワーを変化させることができる。つまり、偏芯した反射面を回転させることにより、ベースレイの入射角度θを変化させた場合、屈折系よりも、より大きくパワーを変化させることが可能となる。よって、このような面を、ズーミングの移動群として採用することにより、移動群のパワーを大きく変えることが可能となるため、ズーミングによる移動量を大幅に減らすことが可能となる。これにより、よりコンパクトな光学系の実現が可能となり、さらにはズーム比の拡大を実現することができる。したがって、偏芯した反射面を含む光学面群、又は偏芯した反射面を含む光学素子群を移動群とし、ズーミングに回転移動を用いることが、以上のことから望ましいといえる。
【００６２】
ズーミングを行う場合、ズーミング中に像面が移動してしまったのでは実用的でない。そのため、像面が一定となるように移動群を移動させることが望ましい。移動群の平行移動と回転移動を行うことにより、像面位置がほぼ一定となるようにすることが可能となる。またそのとき、像面への軸上射出主光線をほぼ一定にすることは、上述したように射出ベースレイを一定にする方法を用いることにより可能である。ここでは、２群ズーム構成のズーミングについて述べたが、移動群がさらに多いズームタイプ、固定群が含まれるズーム光学系についても、考え方は同じであり、容易に拡張することができる。また、撮像光学系のズーミングに限らず、投影光学系のズーミングについても同様である。
【００６３】
したがって各実施の形態のように、偏芯した反射面を少なくとも１面有する群を移動群として、その移動群の平行移動と回転移動により、軸上の結像位置をほぼ一定に保ちながら全系の焦点距離を変化させる構成は、複数の光学面と絞りを有し、その複数の光学面のうちの少なくとも１面として偏芯した反射面を有するズーム光学系，又はそのズーミング方法における適用において一般化が可能である。上記移動群としては、例えば、光学面として偏芯した反射面のみを有する光学素子、光学面として偏芯した反射面とその他の光学面とを有する光学素子、それらの組み合わせ、又はそれらのうちの少なくとも１つと他の光学素子との組み合わせから成るものが挙げられる。前述した各実施の形態のように、光学系が偏芯した反射面を少なくとも１面有するプリズム光学素子を少なくとも１つ有し、そのうちの少なくとも１つのプリズム光学素子を含む群を移動群としてもよく、また、光学系が移動群を複数有し、平行移動と回転移動を個々の移動群について行う構成としてもよい。
【００６４】
更に詳しくは、光学面として少なくとも１面の偏芯した反射面を有するズーム光学系，又はそのズーミング方法において、以下の(ａ)〜(ｅ)の一体又は個々の平行移動及び回転移動により、軸上の結像位置をほぼ一定に保ちながら全系の焦点距離を変化させる構成を有することが望ましい。
(ａ)：少なくとも１面の偏芯した反射面。
(ｂ)：少なくとも１面の偏芯した反射面を含む複数の光学面(偏芯した反射面以外の光学面を含む。)。
(ｃ)：少なくとも１面の偏芯した反射面を有する少なくとも１つの光学素子。
(ｄ)：少なくとも１面の偏芯した反射面を有する光学素子を含む複数の光学素子(偏芯した反射面の無い光学素子を含む。)。
(ｅ)：少なくとも１面の偏芯した反射面を有する光学素子を含む全光学素子(偏芯した反射面の無い光学素子を含む。)。
【００６５】
上記のように、偏芯した反射面を少なくとも１面有する移動群の平行移動と回転移動により、軸上の結像位置をほぼ一定に保ちながら全系の焦点距離を変化させる構成によれば、非軸光学系の特長を十分に活かすとともに、ズーミング中に像面中心位置をほぼ一定に保ちながら品質の高い像を得ることができる。この効果に加え、更に高い光学性能等を達成するための条件、その他の好ましい構成等を以下に説明する。
【００６６】
前記移動群の平行移動と回転移動により、軸上の結像位置と軸上主光線の像面への入射角度とをほぼ一定に保ちながら、全系の焦点距離を変化させる構成にすることが望ましい。軸上主光線が像面に対して垂直に入射しないと、像面での明るさが非対称となり、明るさのムラが発生する。そのとき、デフォーカスした位置での像は非対称なボケ像となるため、きれいな像は得られない。ズーミング中に軸上主光線の像面への入射角度が大きく変化すると、像の明るさムラがズーミング中に大きく変化し、実用的でなくなる。このため、ズーミング中は軸上主光線の像面への入射角度が大きく変化しないことが好ましい。したがって、偏芯した反射面を少なくとも１面有する移動群の平行移動と回転移動により、軸上の結像位置と軸上主光線の像面への入射角度とをほぼ一定に保ちながら、全系の焦点距離を変化させることが望ましい。
【００６７】
上記観点から、以下の条件式(4)を満足することが望ましい。条件式(4)の条件範囲を外れて入射角度が大きく変化すると、ズーミング中に像の明るさムラが大きくなりすぎてしまい、実用的でなくなる。
｜θT−θW｜＜5.0°  …(4)
ただし、
θT：テレ端での軸上主光線の像面への入射角度、
θW：ワイド端での軸上主光線の像面への入射角度、
である。
【００６８】
以下の条件式(4a)を満足することが望ましく、条件式(4b)を満足することが更に望ましい。
｜θT−θW｜＜3.0°  …(4a)
｜θT−θW｜＜1.0°  …(4b)
これらの条件式(4a),(4b)は、上記条件式(4)が規定している条件範囲のなかでも、上記観点等に基づいた更に好ましい条件範囲を規定している。
【００６９】
ここで、軸上主光線の像面への入射角度をほぼ一定に保つための条件を説明する。共軸光学系の場合は、ズーミング時に移動群を光軸に対し平行に移動させても、軸上光線の入射光線と射出光線は光軸上にある。しかしながら、一般の非軸光学系では移動群に対する軸上光線のうち入射光線と射出光線とが平行でないと、移動群の移動により射出光線が移動してしまい、像面位置が移動してしまう。これを防ぐためには、前述したように移動群を平行移動させるのに加えて適切に回転移動させることが好ましく、これにより軸上射出光線が一定であるようにすることができる。
【００７０】
移動群がズーム移動したときでも、像面へ向かう軸上光線がほとんど移動しないようにするための条件は、以下のようにして求められる。簡単のために、前述した図４５に示す三角プリズムＰＲを像面に最も近い移動群とした場合を例に挙げ、その移動と回転により射出光線が移動しないようにする場合を考える。三角プリズムＰＲは、光路に沿って順に、入射面(第１面ｓ１)と、反射面(第２面ｓ２)と、射出面(第３面ｓ３)と、の各１面から成っている。なお、説明を簡単にするためズーム光学系はＹ−Ｚ面対称とする。
【００７１】
ズーミングにおいて互いに異なる２つの焦点距離状態Ｆ１，Ｆ２を考える。図４５において、実線が焦点距離状態Ｆ１での位置を示し、破線が焦点距離状態Ｆ２での位置を示すものとする。図４５に示すように、各焦点距離状態Ｆ１，Ｆ２で三角プリズムＰＲ内を通過するベースレイＢＲの軌跡は異なる。そこで、この光学系のある位置、例えば、この三角プリズムＰＲへ入射する軸上光線上にグローバル座標系の原点を設定し、その座標系で説明する。
【００７２】
焦点距離状態Ｆ１の場合、第１面ｓ１への入射光線の方向余弦ベクトルをＱA1＝ＱA1(ｌA1，ｍA1，ｎA1)とし、第１面ｓ１からの射出光線の方向余弦ベクトルをＱdA1＝ＱdA1(ｌdA1，ｍdA1，ｎdA1)とする。第２面ｓ２，第３面ｓ３も同様に、入射光線の方向余弦ベクトルをそれぞれＱB1＝ＱB1(ｌB1，ｍB1，ｎB1)，ＱC1＝ＱC1(ｌC1，ｍC1，ｎC1)とし、射出光線の方向余弦ベクトルをそれぞれＱdB1＝ＱdB1(ｌdB1，ｍdB1，ｎdB1)，ＱdC1＝ＱdC1(ｌdC1，ｍdC1，ｎdC1)とする。明らかに、ＱdA1＝ＱB1，ＱdB1＝ＱC1である。第１面ｓ１〜第３面ｓ３とベースレイＢＲとの交点を、それぞれ(ｘA1，ｙA1，ｚA1)，(ｘB1，ｙB1，ｚB1)，(ｘC1，ｙC1，ｚC1)とする。第１面ｓ１〜第３面ｓ３とベースレイＢＲとの交点における単位法線ベクトルを、それぞれＥA1，ＥB1，ＥC1とする。また、第１面ｓ１の前後の媒質の屈折率をｎA，ｎAdとする。第２面ｓ２，第３面ｓ３についても同様に、屈折率をｎB，ｎBd；ｎC，ｎCdとする。なお、第２面ｓ２は反射面なので、ｎB＝ｎBd、更には、ｎB＝ｎAd，ｎC＝ｎAdである。焦点距離状態Ｆ２の場合、焦点距離状態Ｆ１の添字１を２に変更する。
【００７３】
移動群に入射する光線上の位置と入射光線ベクトルが分かっているので、第１面ｓ１とベースレイＢＲとの交点(ｘA1，ｙA1，ｚA1)を計算することができ、そこからＥA1が算出される。ＱdA1はｎA(ＥA1×ＱA1)＝ｎAd(ＥA1×ＱAd1)より求められる。順次、追跡することにより、第３面ｓ３とベースレイＢＲとの交点(ｘC1，ｙC1，ｚC1)とＱdC1を計算することができる。
【００７４】
焦点距離状態Ｆ１，Ｆ２の第３面ｓ３からの射出ベースレイＢＲは、Ｙ−Ｚ面が対称面であることから以下の式で表される。
・焦点距離状態Ｆ１の場合  …  (Ｙ−ｙC1)／(ｍdC1)＝(Ｚ−ｚC1)／(ｎdC1)
・焦点距離状態Ｆ２の場合  …  (Ｙ−ｙC2)／(ｍdC2)＝(Ｚ−ｚC2)／(ｎdC2)
【００７５】
２つの焦点距離状態Ｆ１，Ｆ２での２直線が一致すると、軸上光線の像面での位置と入射角度はズーミングにおいて変動しない。その条件は以下の式で表される。ただし、正確に一致している必要はなく、ある程度の差は許容される。
(ｍdC1)／(ｍdC2)＝(ｎdC1)／(ｎdC2)＝(ｙC1−ｙC2)／(ｚC1−ｚC2)
【００７６】
なお、図４５に示すような移動群の焦点距離は、以下の式で表される。
Ｍ11＝(ｎAd)／(２・ＬB11・Ｖ11・Ｖ12・cosθBs−ＥA・ＬA11・Ｖ12−ＥC・ＬC11・Ｖ11)
Ｍ22＝(ｎAd・cosθCsd・cosθCs・cosθBs・cosθAsd・cosθAs)／(２・ＬB22・Ｖ21・Ｖ22−ＥA・ＬA22・Ｖ22・cosθBs−ＥC・ＬC22・Ｖ21・cosθBs)
【００７７】
ここで、各面でのベースレイＢＲとの交点におけるＸ方向とＹ方向の曲率をＬA11，ＬA22；ＬB11，ＬB22；ＬC11，ＬC22とする。また、各面でのベースレイＢＲの入射角と射出角をそれぞれ、θAs，θAsd；θBs，θBsd(＝θBs)；θCs，θCsdとする。ｎAdは屈折率であり、Ｖ11，Ｖ12，Ｖ21，Ｖ22，ＥA，ＥCは以下の通りである。ただし、移動群である三角プリズムＰＲ(図４２中の第２群Ｇｒ２)の前方座標系２Ｆの原点から、ベースレイＢＲと第１面ｓ１との交点までの距離をｄAとし、ベースレイＢＲと第１面ｓ１との交点からベースレイＢＲと第２面ｓ２との交点までの距離をｄBとし、ベースレイＢＲと第２面ｓ２との交点からベースレイＢＲと第３面ｓ３との交点までの距離をｄCとする。
Ｖ11＝(ＥA・ＬA11・ｄB−ｎAd)
Ｖ12＝(ＥC・ＬC11・ｄC＋ｎAd)
Ｖ21＝(ＥA・ＬA22・ｄB−ｎAd・cos2θAsd)
Ｖ22＝(ＥC・ＬC22・ｄC＋ｎAd・cos2θCs)
ＥA＝(ｎA・cosθAs−ｎAd・cosθAsd)
ＥC＝(ｎC・cosθCs−ｎCd・cosθCsd)
【００７８】
移動群の軸上入射主光線と軸上射出主光線とが平行である場合には、その方向に移動群を平行移動させることにより、軸上射出主光線の方向を一定にすることができる。しかしながら、その場合には移動群が群間距離を変えることによる変倍のみが、ズーミングに寄与することになる。それは、ベースレイの通過位置が変動せず、ベースレイと各光学面との交点位置が一定であり、さらに各光学面へのベースレイの入射角度が変化せず、結果として、その移動群のパワーが変化しないからである。
【００７９】
非軸光学系では、移動群の平行移動と回転移動により、軸上射出光線を一定のまま群間距離を変え、更には群のパワー(焦点距離)を変化させることにより、変倍を行うことが可能である。つまり、群のパワーを変化させて変倍を稼いだ方が、ズーミングにおける移動距離を減らすことが可能となる。移動距離が少ないと、それだけスペースが少なくて済むため、よりコンパクトな光学系の実現が可能となる。それに対し、移動群の軸上入射主光線と軸上射出主光線とを平行に配置すると、大きなスペースが必要となるため、光路の折りたたみ効果が少なくなり、コンパクトな光学系にならなくなる。また、そのような設計制約が発生する結果、設計での自由度が少なくなってしまう。したがって、よりコンパクトな光学系を実現するには、偏芯した反射面を少なくとも１面有する移動群として、軸上入射主光線と軸上射出主光線とが平行でないものを少なくとも１つ有することが望ましい。
【００８０】
上記観点から、偏芯した反射面を少なくとも１面有する移動群として、以下の条件式(3)を満足するものを少なくとも１つ有することが望ましい。
5＜｜θpr｜＜175  …(3)
ただし、
θpr：移動群に対する軸上主光線のうち軸上入射主光線と軸上射出主光線とが成す角度、
である。
【００８１】
この条件式(3)は、移動群における軸上主光線の方向の変化に関して好ましい条件範囲を規定しており、｜θpr｜の値は、光路の折りたたみの度合いを表している。条件式(3)の下限を越えて軸上主光線の変化が小さくなると、光路の折りたたみ効果が小さくなるため、コンパクトな光学系にならなくなる。逆に、条件式(3)の上限を越えて光路が反対の方向へ曲げられた場合でも、光路の折りたたみ効果が小さくなるため、コンパクトな光学系にならなくなる。特に非軸光学系から成るズーム光学系の場合、移動群については折りたたみ効果が小さいと、その分、より大きなスペースが必要となるため、コンパクトな光学系の実現が困難になる。
【００８２】
以下の条件式(3a)を満足することが望ましく、条件式(3b)を満足することが更に望ましい。
20＜｜θpr｜＜160  …(3a)
30＜｜θpr｜＜150  …(3b)
これらの条件式(3a),(3b)は、上記条件式(3)が規定している条件範囲のなかでも、上記観点等に基づいた更に好ましい条件範囲を規定している。
【００８３】
前述した非軸光学系のズーミングにおける移動群は、平行移動と回転移動を行うため、移動群内のベースレイの透過経路が異なる。そのため、移動群のパワーがズーミングに伴って変化する。前述したように移動群のパワーを変えることにより、移動群の結像関係のＭ11、Ｍ22の値を変えることが可能となり、その変化で変倍の一部を負担することができる。移動群の移動による変倍の一部がパワーの変化により負担されると、結果的に移動群の移動量を小さくすることが可能となる。これにより、移動群の移動のためのスペースを小さくすることが可能となり、光学系の厚みをさらに薄く抑えることが可能となる。したがって、偏芯した反射面を少なくとも１面有する移動群として、ズーミング中のパワーが一定でないものを少なくとも１つ有することが望ましい。パワーを変えながらズーミングを行うことにより、移動群の移動量を小さくできる、という大きな効果を得ることができる。
【００８４】
偏芯した反射面を少なくとも１面有する移動群として、ズーミング中の任意の焦点距離状態で以下の条件式(1)を満足するものを少なくとも１つ有することが望ましい。
｜(φi−φjW)／φallW｜＜10.0  …(1)
ただし、
φi：ズーミング中の任意の焦点距離状態における移動群のパワー、
φjW：ワイド端における移動群のパワー、
φallW：ワイド端における全系のパワー、
である。
【００８５】
この条件式(1)は、ズーミング時に平行移動と回転移動を行う移動群の、ズーミングにおけるパワー変動に関して好ましい条件範囲を規定している。前述したズーミング方法では、ズーミングを通して移動群のパワーが変動するため、ズーミングによる移動量を小さくすることができる。さらに、そのパワーの変動により、異なる焦点距離で変動する諸収差を補正することも可能となり、高性能化を達成することができる。しかしながら、移動群の収差変動が大きすぎると、ズーミングにより変動する収差がその補正以上に変動するため、性能が著しく低下してしまう。条件式(1)の条件範囲を外れると、ズーミングで変動する収差が補正過剰となるか、移動群の収差が大きくなりすぎるため、高性能化を達成することができなくなる。
【００８６】
以下の条件式(1a)を満足することが望ましく、条件式(1b)を満足することが更に望ましく、条件式(1c)を満足することが更に望ましい。
｜(φi−φjW)／φallW｜＜5.0  …(1a)
｜(φi−φjW)／φallW｜＜3.0  …(1b)
｜(φi−φjW)／φallW｜＜1.0  …(1c)
これらの条件式(1a),(1b),(1c)は、上記条件式(1)が規定している条件範囲のなかでも、上記観点等に基づいた更に好ましい条件範囲を規定している。
【００８７】
偏芯した反射面を少なくとも１面有する移動群として、ズーミング中のある焦点距離状態で以下の条件式(2)を満足するものを少なくとも１つ有することが望ましい。
｜φk／φall｜＜30.0  …(2)
ただし、
φk：ズーミング中のある焦点距離状態における移動群のパワー、
φall：ズーミング中のある焦点距離状態における全系のパワー、
である。
【００８８】
この条件式(2)は、移動群のパワーに関して好ましい条件範囲を規定している。移動群のパワーが強ければ、ズーミングのために移動する距離を減らすことができるため、移動のためのスペースを小さくすることができ、その結果、光学系全体をコンパクトにすることができる。しかしながら、移動群のパワーが強すぎると、移動群の移動による収差の変動が大きくなる。ズーム光学系では、本来、移動群の収差が小さくなるように補正することが望まれるが、ズーミングによるベースレイの変化等を考慮すると、完全に補正することは難しい。そのため、ズーミングによる収差(又は性能)の変動が発生する。条件式(2)の条件範囲を外れて移動群のパワーが大きくなりすぎると、性能変動が大きくなり、光学系トータルの性能を確保できなくなる。
【００８９】
以下の条件式(2a)を満足することが望ましく、条件式(2b)を満足することが更に望ましく、条件式(2c)を満足することが更に望ましい。
｜φk／φall｜＜10.0  …(2a)
｜φk／φall｜＜5.0  …(2b)
｜φk／φall｜＜3.0  …(2c)
これらの条件式(2a),(2b),(2c)は、上記条件式(2)が規定している条件範囲のなかでも、上記観点等に基づいた更に好ましい条件範囲を規定している。
【００９０】
偏芯した反射面として、自由曲面又は非回転対称な面から成るものを少なくとも１面有することが望ましい。偏芯した反射面を用いると、光路の折りたたみ等の偏芯の効果により、より薄い光学系を実現することができる。しかしながら、偏芯しているために、偏芯による独特の収差が発生する。例えば、軸上でも非点収差が発生する。その収差補正は、光学面の曲率半径を水平方向と垂直方向とで異ならせることによって初めて可能となる。この状況は、周辺部分でも同様である。このような非回転対称な面から成る反射面としては、水平方向と垂直方向との曲率半径を任意に選択できる自由曲面が適している。したがって、高性能な光学系を実現するためには、自由曲面を用いることが望ましい。
【００９１】
前記光学系を構成する光学素子の少なくとも１つがプラスチック材料から形成されていることが望ましい。「プラスチック材料から形成されている」とは、プラスチック材料を母材としていることを言い、その表面に反射防止や表面硬度向上を目的としてコーティング処理を施した場合をも含むものとする。また、ここで言う「プラスチック材料」とは、特開２００５−５５８５２号公報で開示されている、プラスチック材料も含むものとする。特開２００５−５５８５２号公報で開示されているプラスチック材料は、通常のプラスチック材料に比べ、温度による屈折率変化が小さい材料である。特にこのような、温度による屈折率変化の小さいプラスチック材料を、ここでは「アサーマル樹脂」と呼ぶことにする。特開２００５−５５８５２号公報で開示されているプラスチック材料とは、具体的には、プラスチック材料中に最大長が３０ナノメートル以下の粒子(例えば、無機微粒子等)を分散させた素材を用いて成形したプラスチック材料であり、例えばアクリルに酸化ニオブ(Ｎｂ2Ｏ5)の微粒子を分散させたものである。
【００９２】
プラスチック材料を光学系に用いる利点は、軽量化，コストダウン，一体成型の容易さ等、多々ある。その反面、デメリットとしては、環境温度変化による屈折率変化が大きいことが挙げられる。この影響により、周囲温度が変化した際に、撮像レンズ全系の像点位置が変動してしまうという問題をかかえてしまう。これを補正するために、アサーマル樹脂を部分的又は全てのプラスチック材料として用いることが望ましい。そうすることにより、光学系の像点位置変化を小さく抑えることが可能となる。なお、特開２００５−５５８５２号公報では、プラスチック材料の例としてｄｎ／ｄｔ(ｎ：屈折率，ｔ：温度)の符号の異なる微粒子を分散させた例が示されているが、プラスチック材料のｄｎ／ｄｔに比べてｄｎ／ｄｔの絶対値が小さい微粒子を分散させれば、ｄｎ／ｄｔの符号が同符号であっても温度変化による屈折率変化は小さくなり、従来のプラスチック材料を用いる場合に比べて光学系の像点位置の変化量を小さくすることができる。ただし、プラスチック材料にはｄｎ／ｄｔの符号の異なる微粒子を分散させた方が、プラスチックに分散する微粒子の量を少なくすることができる。
【００９３】
また、前述した各実施の形態のように偏芯した反射面を有するズーム光学系の場合、環境温度による屈折率変化が大きいと、非点隔差が増大するという問題が発生する。これを補正するためには、従来のパワー配分の調整だけでは限界があり、アサーマル樹脂を使う必要がある。各実施の形態のような偏芯光学系では、非点隔差を小さく保つことが高性能な光学系を実現するためには必要であり、特に、プリズム材料としてアサーマル樹脂を用いることが望ましい。
【００９４】
前述した特徴的なズーミング方法を実施するにあたり、撮像素子へ光学像を形成するような構成をとることが望ましい。前述した各実施の形態に係るズーミング方法は、撮像素子ＳＲの受光面上に物体の光学像を形成するための撮像光学系ＺＬに用いられている。そのように、前記光学系が撮像素子の受光面上に物体の光学像を形成するための撮像光学系であることが望ましい。ただし、前記ズーミング方法は撮像光学系への適用に限るものではなく、あらゆる非軸光学系に適用できるものであることから、投影光学系，表示光学系等にも適用可能な方法である。
【００９５】
前記ズーミング方法が適用される光学系は、少なくとも３群構成であることが望ましい。少なくとも３群構成のズーム光学系では、１つの群が主にバリエータの役割を果たし、１つの群がコンペンセータの役割を果たすことになる。したがって、収差補正のために、１つの群を固定群又は移動群とするのが更に望ましい。収差補正用のズーム群として、更に他の群を配置することも好ましいが、群が多くなるとそれだけコンパクトさが失われることになる。よって、収差補正やコンパクトさ等を考慮すると、３群構成のズーム光学系が望ましい。
【００９６】
少なくとも３群構成のズーム光学系において、第３群(各実施の形態における第３プリズムＰ３)の入射面は絞りに対してコンセントリックに近い自由曲面形状を有することが望ましい。高性能の光学系では、より広い画角の性能も確保する必要がある。そのためには、像面の平坦性に優れ、非点収差の小さい光学系が望ましい。そのような光学系を達成するために、第３プリズムの入射面を、絞りに対してコンセントリックに近い面形状にすることが望ましい。
【００９７】
移動群として第２群及び第３群を有する少なくとも３群構成のズーム光学系において、第２群の射出面と第３群の入射面とは対向配置されていることが望ましい。第２群と第３群を移動群とし、お互いの間隔を大きく変動させた場合、大きなスペースが必要になる。このため、ズーム光学系のコンパクト化が困難になる。コンパクトな光学系を実現するには、両者の面を対向配置してスペースを減らすことが望ましい。さらに、お互いの面の軸上主光線(ベースレイ)の通過する位置を変えることにより、効果的に変倍を行うことが可能になる。
【００９８】
少なくとも３群構成のズーム光学系において、第３群を構成する第３プリズムの反射面はＸ方向とＹ方向のパワーの符号が異なることが望ましい。非軸光学系では、非点隔差の発生は必然的である。その補正のためにも、回転対称軸を持たない自由曲面を用いることが望ましい。自由曲面の大きな特徴の１つとして、Ｘ方向とＹ方向の曲率の符号を変え得る点が挙げられる。これにより、非点収差の発生する方向をＸ方向とＹ方向とで変えることができるため、補正に大きく役に立つ。特に像面に近い第３プリズムの反射面に、Ｘ方向とＹ方向の曲率の符号を異なる面とすることが、非点隔差を補正する上で好ましい。しかも反射面は色収差に影響を与えないため、特に有用である。
【００９９】
ズーミング中は、絞り位置が固定であることが望ましい。絞りは、光量を調整する働きをする。非軸光学系の場合、共軸光学系とは異なり、軸上光束についても回転対称な集光はせず、一般に非回転対称な集光を行う。そのため、ズーミング中に絞りが移動すると、集光の非対称性が大きく変化することがある。このような現象が発生すると、ズーミング中に明るさのムラが変化し、像が非常に見づらくなるため実用的でない。さらに、絞りがズーミング中に移動すると、絞りのエッジの光線に対する角度が変化するためフレアーの原因となる。したがって、ズーミング中は絞り位置が固定であることが望ましい。
【０１００】
ズーミング中に固定の群(つまり固定群)があることが望ましい。移動する群(つまり移動群)が多いと、性能の低下が大きくなる可能性が高くなる。固定群があることにより、物を組み立てるときに基準とすることができる。例えば、固定群を基準として移動群の位置を相対的に決めることができる。その方法により、高精度に移動群の位置を決めることができる。
【０１０１】
前述した各実施の形態では、第１群が第１プリズムＰ１の像側にレンズＬＮを有している。このように、最も物体側の群には透過面のみから成る光学素子が存在することが望ましい。それが反射面を持たないことより、光路を大きく変えることがなく、他の収差への影響を小さくしたまま、色収差を補正することが可能となる。例えば、色収差，フレア等の補正を効果的に行うことが可能となる。
【０１０２】
光学系は、入射面と、少なくとも１面の反射面と、射出面と、を有するプリズム光学素子を、少なくとも３つ有することが望ましい。さらには、前述した各実施の形態のように、プリズム光学素子を３つ有することが望ましい。高性能化を実現するためには、収差補正能力を高める必要がある。特に、画角の拡大，像高の拡大，長焦点距離化等に伴い、軸外収差が大きくなる。その補正のためには、光学面が多いほうが有利である。しかしながら、光学素子が増えるとコンパクトさが失われてしまう。コンパクトさを維持しながら収差補正能力を高めるには、プリズム光学素子を少なくとも３つ有することが好ましい。さらには、光学素子３つで光学系を構成すると、コンパクトでありながら高性能を実現することができる。
【０１０３】
プリズム光学素子の反射面を形成する面には、反射する領域と透過する領域があることが望ましい。プリズム面を作製する場合、その全てを反射面にすると、エッジの部分で迷光が発生するという問題があり、また、プリズム光学素子を保持するための部分が確保できないという問題もある。反射する領域以外の光を透過させる構成にすれば、有効範囲だけを利用することができ、迷光対策において好ましい。また、その領域でプリズム保持も可能となるが、保持部で光をカット又は吸収する構成にすれば迷光対策になる。
【０１０４】
プリズム光学素子の反射面を形成する面には、反射する領域と吸収する領域があることが望ましい。プリズム面を作製する場合、その全てを反射面にすると、エッジの部分で迷光が発生するという問題があり、また、プリズム光学素子を保持するための部分が確保できないという問題もある。反射する領域以外の光を吸収させる構成にすれば、有効範囲だけを利用することができ、迷光対策において好ましい。また、吸収される部分でプリズム保持も可能となる。
【０１０５】
プリズム光学素子の反射面を形成する面には、反射する領域と遮光する領域があることが望ましい。プリズム面を作製する場合、その全てを反射面にすると、エッジの部分で迷光が発生するという問題があり、また、プリズム光学素子を保持するための部分が確保できないという問題もある。反射する領域以外の光を遮光する構成にすれば、有効範囲だけを利用することができ、迷光対策において好ましい。また、遮光される部分でプリズム保持も可能となる。
【０１０６】
前記反射する領域には、反射コートを施していることが望ましい。反射する部分に反射コートを施すことにより、光を効率良く反射させることが可能となる。例えば、絞りを有する反射面を用いる場合には、絞りの有効径内にのみ反射コートを施すのが望ましい。これにより、絞り有効径以外の光をカットすることが可能となり、部品点数を増やすことなく、安価な構成をとることが可能となる。
【０１０７】
前記吸収する領域又は遮光する領域が黒染により構成されていることが望ましい。黒染することにより、その領域の面の変形を防止することができる。また、その面を保持部や測定基準面とすれば高精度を保つことができる。
【０１０８】
前記吸収する領域又は遮光する領域が粗研削により構成されていることが望ましい。面を粗くして光を散乱させる構成にすれば、有効径内のみの光を反射の対象にすることができる。また、粗研削では領域の変更を簡単に行うことが可能であり、安く加工できるというメリットもある。
【０１０９】
前記吸収する領域又は遮光する領域が粗い面に加工されていることが望ましい。面を粗くして光を散乱させる構成にすれば、有効径内のみの光を反射の対象にすることができる。面を研磨又はプレスで作製する場合、研磨での仕上げは行われない。プレスでは金型のその部分を粗くしておけば、安く簡単に吸収領域又は遮光領域を形成することができる。
【０１１０】
前記吸収する領域又は遮光する領域が、光を散乱させるピラミッドの微小形状を有することが望ましい。吸収する領域又は遮光する領域に、光を散乱させるピラミッドの微小形状を作製することにより、その部分で光を減衰させることが可能となるため、特に迷光の対策になる。もし、その部分を透過にしておくと、鏡筒等で反射したり乱反射したりした光が迷光の原因となるため、その部分の形状を工夫したり、部品を追加したりする必要が生じる。それに比べれば、光を散乱させるピラミッドの微小形状はプレス等で安く加工できる。
【０１１１】
前記吸収する領域又は遮光する領域が、有機溶剤での化学反応により構成されたものであることが望ましい。吸収する領域又は遮光する領域の形成に有機溶剤を用い、化学反応を起こさせてその部分の性質を変えてやることが可能である。その部分に塗布したり、溶剤に浸しておくだけの処理で済むため、一度に大量の生産が可能となる。
【０１１２】
前記反射する領域が鏡面状態にされていることが望ましい。光を有効に反射させるためには、反射部分を鏡面状態にするのが好ましい。特に、リップル等の微小な凹凸があると、反射効率が落ちたり迷光が発生したりする原因になるため、鏡面状態にすることが望ましい。
【０１１３】
反射面にはアルミ蒸着のコーティングが施されていることが望ましい。アルミ蒸着のコーティングは反射率が高く、安価に加工できるというメリットがある。また、反射面にはアルミ増反射のコーティングが施されていることが望ましい。アルミ増反射のコーティングは、通常のアルミ蒸着コーティングよりも高い反射率が得られるように形成することができる。
【０１１４】
さらに、高い反射率を得るには、反射面に誘電体のコーティングが施されていることが望ましい。誘電体のコーティングは反射率が非常に高い。特に複数の反射面が存在する場合には、光量の損失を低く抑える必要があり、その場合には誘電体のコートが有効である。また、反射面には銀蒸着のコーティングが施されていることが望ましい。銀蒸着のコーティングは反射率が非常に高い。特に複数の反射面が存在する場合には、光量の損失を低く抑える必要があり、その場合には銀蒸着のコートが有効である。
【０１１５】
プリズム光学素子の反射面は、アルミ蒸着コーティングを施した面、アルミ増反射コーティングを施した面、誘電体コーティングを施した面、銀蒸着コーティングを施した面、が混在していることが望ましい。１つのプリズム光学素子に複数の反射面がある場合、反射面の全てにアルミ蒸着コーティングを施せば安価に製作できるが、反射率の低下を招くおそれがある。また、全ての反射面に増反射コーティング，銀蒸着コーティング，誘電体コーティングを施すと、反射率の低下は抑えられるが高価になってしまう。反射率の低下を少なくしながらより安価にするためには、４者をバランスさせるのが好ましい。また、４者のうち、２つ又は３つを選択してもよい。
【０１１６】
少なくとも１面の反射面の反射率は８０％以上であることが望ましい。全系の反射率は、各反射面の反射率の掛け算となる。全体の反射率を上げるためには個々の反射率を高くする必要があるが、それとともに反射率の低い面が１面あれば、全体の反射率の低下は大きくなってしまう。そのため、少なくとも１面の反射率は８０％以上であることが必要となる。
【０１１７】
プリズム光学素子の透過面又は反射面のうちの少なくとも１面に、長波長域を吸収するコーティングが施されていることが望ましい。光学系の波長に依存した結像性能に対し、長波長領域の光は有害である。そのため、長波長領域を吸収するコートが施された平行平板が撮像素子の前に配置されたりする。しかしながら、プリズム光学素子の反射面でそのような長波長領域の光を吸収してしまえば、有害光がなくなる。したがって、長波長領域を吸収する部材は不要となり、コストダウンが可能となる。
【０１１８】
プリズム光学素子はプラスチック材料から成ることが望ましい。プラスチック材料を用いればプリズム光学素子を安価に構成することができ、また、プレス加工により大量に作ることも可能である。別の観点から言えば、プリズム光学素子はガラス材料から成ることが望ましい。プリズム光学素子をガラス材料で構成する場合、屈折率の高い材料を選択することができるので、その分、薄型化・高性能化に有利である。
【０１１９】
なお、各実施の形態の撮像光学系ＺＬには、入射光線を屈折作用により偏向させる屈折型レンズ面(つまり、異なる屈折率を有する媒質同士の界面で偏向が行われるタイプのレンズ面)が用いられているが、使用可能なレンズ面はこれに限らない。例えば、回折作用により入射光線を偏向させる回折型レンズ面，屈折作用と回折作用との組み合わせで入射光線を偏向させる屈折・回折ハイブリッド型レンズ面等を用いてもよい。
【０１２０】
各実施の形態の撮像光学系は、画像入力機能付きデジタル機器(例えばカメラ付き携帯電話)用の薄型撮像光学系としての使用に適しており、これを撮像素子等と組み合わせることにより、被写体の映像を光学的に取り込んで電気的な信号として出力する撮像装置を構成することができる。撮像装置は、被写体の静止画撮影や動画撮影に用いられるカメラの主たる構成要素を成す光学装置であり、例えば、物体(被写体)側から順に、物体の光学像を形成する撮像光学系と、撮像光学系により形成された光学像を電気的な信号に変換する撮像素子と、で構成される。
【０１２１】
撮像素子としては、例えば複数の画素を有するＣＣＤ(Charge Coupled Device)やＣＭＯＳ(Complementary Metal Oxide Semiconductor)センサー等の固体撮像素子が用いられ、撮像光学系により形成された光学像は撮像素子により電気的な信号に変換される。撮像素子で生成した信号は、必要に応じて所定のデジタル画像処理や画像圧縮処理等が施されて、デジタル映像信号としてメモリー(半導体メモリー，光ディスク等)に記録されたり、場合によってはケーブルを介したり赤外線信号に変換されたりして他の機器に伝送される。なお、撮像光学系と撮像素子との間には、光学フィルター(光学的ローパスフィルター，赤外カットフィルター等)が必要に応じて配置される。
【０１２２】
カメラの例としては、デジタルカメラ；ビデオカメラ；監視カメラ；車載カメラ；テレビ電話用カメラ；ドアホーン用カメラ；パーソナルコンピュータ，モバイルコンピュータ，携帯電話，携帯情報端末，これらの周辺機器(マウス，スキャナー，プリンター等)，その他のデジタル機器等に内蔵又は外付けされるカメラが挙げられる。これらの例から分かるように、撮像装置を用いることによりカメラを構成することができるだけでなく、各種機器に撮像装置を搭載することによりカメラ機能を付加することも可能である。また、カメラ機能を実現する際には、必要に応じた形態で撮像装置を使用することが可能である。例えば、ユニット化した撮像装置をカメラボディに対して着脱自在又は回動自在に構成してもよく、ユニット化した撮像装置を携帯情報機器(携帯電話，ＰＤＡ等)に対して着脱自在又は回動自在に構成してもよい。
【０１２３】
以上の説明から分かるように、上述した各実施の形態や後述する各実施例には以下の構成が含まれている。その構成により、良好な光学性能と低コストで薄型・コンパクトな撮像装置を実現することができ、カメラ，デジタル機器等への適用により、その高性能化，高機能化，低コスト化及びコンパクト化に寄与することができる。
【０１２４】
(U1)  光学像を形成する撮像光学系と、その撮像光学系により形成された光学像を電気的な信号に変換する撮像素子と、を備えた撮像装置であって、前記撮像光学系が複数の光学面と絞りを有し、前記複数の光学面のうちの少なくとも１面として偏芯した反射面を有し、前記偏芯した反射面を少なくとも１面有する群を移動群として、その移動群の平行移動と回転移動により、軸上の結像位置と軸上主光線の像面への入射角度とをほぼ一定に保ちながら、全系の焦点距離を変化させることを特徴とする撮像装置。
【０１２５】
(U2)  光学像を形成する撮像光学系と、その撮像光学系により形成された光学像を電気的な信号に変換する撮像素子と、を備えた撮像装置であって、前記撮像光学系が偏芯した反射面を少なくとも１面有するプリズム光学素子を少なくとも１つ有し、そのうちの少なくとも１つのプリズム光学素子を含む群を移動群として、その移動群の平行移動と回転移動により、軸上の結像位置と軸上主光線の像面への入射角度とをほぼ一定に保ちながら、全系の焦点距離を変化させることを特徴とする撮像装置。
【０１２６】
(U3)  前記移動群が、前記光学面として前記偏芯した反射面のみを有する光学素子、前記光学面として前記偏芯した反射面とその他の光学面とを有する光学素子、それらの組み合わせ、又はそれらのうちの少なくとも１つと他の光学素子との組み合わせから成ることを特徴とする上記(U1)記載の撮像装置。
【０１２７】
(U4)  前記移動群が、前記光学面として前記偏芯した反射面のみを有するプリズム光学素子、前記光学面として前記偏芯した反射面とその他の光学面とを有するプリズム光学素子、それらの組み合わせ、又はそれらのうちの少なくとも１つと他の光学素子との組み合わせから成ることを特徴とする上記(U2)記載の撮像装置。
【０１２８】
(U5)  前記撮像光学系が前記移動群を複数有し、前記平行移動と回転移動を個々の移動群について行うことを特徴とする上記(U1)〜(U4)のいずれか１項に記載の撮像装置。
【０１２９】
(U6)  前記移動群として、軸上入射主光線と軸上射出主光線とが平行でないものを少なくとも１つ有することを特徴とする上記(U1)〜(U5)のいずれか１項に記載の撮像装置。
【０１３０】
(U7)  前記移動群として、ズーミング中のパワーが一定でないものを少なくとも１つ有することを特徴とする上記(U1)〜(U6)のいずれか１項に記載の撮像装置。
【０１３１】
(U8)  前記移動群として、ズーミング中の任意の焦点距離状態で前記条件式(1)〜(3)、及びその条件範囲を狭くした条件式のうちの少なくとも１つを満足するものを少なくとも１つ有することを特徴とする上記(U1)〜(U7)のいずれか１項に記載の撮像装置。
【０１３２】
(U9)  前記条件式(4)、及びその条件範囲を狭くした条件式のうちの少なくとも１つを満足することを特徴とする上記(U1)〜(U8)のいずれか１項に記載の撮像装置。
【０１３３】
(U10)  前記偏芯した反射面として、自由曲面から成るものを少なくとも１面有することを特徴とする上記(U1)〜(U9)のいずれか１項に記載の撮像装置。
【０１３４】
(U11)  前記偏芯した反射面として、非回転対称な面から成るものを少なくとも１面有することを特徴とする上記(U1)〜(U10)のいずれか１項に記載の撮像装置。
【０１３５】
(U12)  前記撮像光学系を構成する光学素子の少なくとも１つがプラスチック材料から形成されていることを特徴とする上記(U1)〜(U11)のいずれか１項に記載の撮像装置。
【０１３６】
(U13)  前記プラスチック材料がアサーマル樹脂であることを特徴とする上記(U12)記載の撮像装置。
【０１３７】
(C1)  上記(U1)〜(U13)のいずれか１項に記載の撮像装置を備え、被写体の静止画撮影，動画撮影のうちの少なくとも一方に用いられることを特徴とするカメラ。
【０１３８】
(C2)  デジタルカメラ；ビデオカメラ；又は携帯電話，携帯情報端末，パーソナルコンピュータ，モバイルコンピュータ，若しくはこれらの周辺機器に内蔵又は外付けされるカメラであることを特徴とする上記(C1)記載のカメラ。
【０１３９】
(D1)  上記(U1)〜(U13)のいずれか１項に記載の撮像装置を備えることにより、被写体の静止画撮影，動画撮影のうちの少なくとも一方の機能が付加されたことを特徴とするデジタル機器。
【０１４０】
(D2)  携帯電話，携帯情報端末，パーソナルコンピュータ，モバイルコンピュータ，又はこれらの周辺機器であることを特徴とする上記(D1)記載のデジタル機器。
【０１４１】
撮像装置では、撮像光学系によって拡大側の被写体から縮小側の撮像素子への縮小投影が行われるが、撮像素子の代わりに２次元画像を表示する表示素子(例えば液晶表示素子)を用い、撮像光学系を投影光学系として使用すれば、縮小側の画像表示面から拡大側のスクリーン面への拡大投影を行う画像投影装置(すなわちプロジェクター)を構成することができる。したがって、上述した各実施の形態や後述する各実施例には、以下の構成が含まれている。つまり、各実施の形態のズーミング方法は、撮像光学系に限らず、投影光学系にも好適に用いることが可能である。
【０１４２】
(T1)  ２次元画像を表示する表示素子と、その表示画像をズーミング可能に拡大投影する投影光学系と、を備えた画像投影装置であって、前記投影光学系が複数の光学面を有し、前記複数の光学面のうちの少なくとも１面として偏芯した反射面を有し、前記偏芯した反射面を少なくとも１面有する群を移動群として、その移動群の平行移動と回転移動により、軸上の結像位置と軸上主光線の像面への入射角度とをほぼ一定に保ちながら、全系の焦点距離を変化させることを特徴とする画像投影装置。
【０１４３】
(T2)  ２次元画像を表示する表示素子と、その表示画像をズーミング可能に拡大投影する投影光学系と、を備えた画像投影装置であって、前記投影光学系が偏芯した反射面を少なくとも１面有するプリズム光学素子を少なくとも１つ有し、そのうちの少なくとも１つのプリズム光学素子を含む群を移動群として、その移動群の平行移動と回転移動により、軸上の結像位置と軸上主光線の像面への入射角度とをほぼ一定に保ちながら、全系の焦点距離を変化させることを特徴とする画像投影装置。
【０１４４】
(T3)  前記移動群が、前記光学面として前記偏芯した反射面のみを有する光学素子、前記光学面として前記偏芯した反射面とその他の光学面とを有する光学素子、それらの組み合わせ、又はそれらのうちの少なくとも１つと他の光学素子との組み合わせから成ることを特徴とする上記(T1)記載の画像投影装置。
【０１４５】
(T4)  前記移動群が、前記光学面として前記偏芯した反射面のみを有するプリズム光学素子、前記光学面として前記偏芯した反射面とその他の光学面とを有するプリズム光学素子、それらの組み合わせ、又はそれらのうちの少なくとも１つと他の光学素子との組み合わせから成ることを特徴とする上記(T2)記載の画像投影装置。
【０１４６】
(T5)  前記投影光学系が前記移動群を複数有し、前記平行移動と回転移動を個々の移動群について行うことを特徴とする上記(T1)〜(T4)のいずれか１項に記載の画像投影装置。
【０１４７】
(T6)  前記移動群として、軸上入射主光線と軸上射出主光線とが平行でないものを少なくとも１つ有することを特徴とする上記(T1)〜(T5)のいずれか１項に記載の画像投影装置。
【０１４８】
(T7)  前記移動群として、ズーミング中のパワーが一定でないものを少なくとも１つ有することを特徴とする上記(T1)〜(T6)のいずれか１項に記載の画像投影装置。
【０１４９】
(T8)  前記移動群として、ズーミング中の任意の焦点距離状態で前記条件式(1)〜(3)、及びその条件範囲を狭くした条件式のうちの少なくとも１つを満足するものを少なくとも１つ有することを特徴とする上記(T1)〜(T7)のいずれか１項に記載の画像投影装置。
【０１５０】
(T9)  前記条件式(4)、及びその条件範囲を狭くした条件式のうちの少なくとも１つを満足することを特徴とする上記(T1)〜(T8)のいずれか１項に記載の画像投影装置。
【０１５１】
(T10)  前記偏芯した反射面として、自由曲面から成るものを少なくとも１面有することを特徴とする上記(T1)〜(T9)のいずれか１項に記載の画像投影装置。
【０１５２】
(T11)  前記偏芯した反射面として、非回転対称な面から成るものを少なくとも１面有することを特徴とする上記(T1)〜(T10)のいずれか１項に記載の画像投影装置。
【０１５３】
(T12)  前記投影光学系を構成する光学素子の少なくとも１つがプラスチック材料から形成されていることを特徴とする上記(T1)〜(T11)のいずれか１項に記載の画像投影装置。
【０１５４】
(T13)  前記プラスチック材料がアサーマル樹脂であることを特徴とする上記(T12)記載の画像投影装置。
【実施例】
【０１５５】
以下、本発明に係るズーミング方法を、それを用いた撮像光学系のコンストラクションデータ等を挙げて更に具体的に説明する。ここで挙げる実施例１〜３は、前述した第１〜第３の実施の形態にそれぞれ対応する数値実施例であり、第１〜第３の実施の形態を表す光学構成図(図１〜図３)は、対応する実施例１〜３の光学構成，光路等をそれぞれ示している。
【０１５６】
表１〜表１８に、実施例１〜３のコンストラクションデータを示す。表１，表７，表１３中の基本的な光学構成(ｉ：面番号)において、Ｓｉ(ｉ＝１，２，３，．．．)は物体側から数えてｉ番目の面(Ｓ１は基準面としてのダミー面に相当し、Ｓ２は撮像光学系の最も物体側の面に相当する。)、ｒｉ(ｉ＝１，２，３，．．．)は面Ｓｉの曲率半径(単位：ｍｍ)、Ｎｉ(ｉ＝１，２，３，．．．),νｉ(ｉ＝１，２，３，．．．)は物体側から数えてｉ番目の面Ｓｉと(ｉ＋１)番目の面Ｓｉ＋１との間に位置する光学材料のｄ線に対する屈折率(Ｎｄ),アッベ数(νｄ)をそれぞれ示している。
【０１５７】
実施例１〜３における各面Ｓｉの配置は、表２，表８，表１４中の面頂点座標と回転角度の各面データでそれぞれ特定される。面データは右手系の直交座標系(Ｘ，Ｙ，Ｚ)に基づいて表現されており、その直交座標系(Ｘ，Ｙ，Ｚ)では、物体中心と像面中心を通る主光線をベースレイとし、ベースレイと第１面Ｓ１(ただし、第２プリズムＰ２に関してはその入射面Ｓ９を面Ｓ１０，Ｓ１１の座標基準とし、第３プリズムＰ３に関してはその入射面Ｓ１２を面Ｓ１３，Ｓ１４の座標基準とする。)との交点を原点(０，０，０)とし、Ｚ軸方向をベースレイが物体中心から第１面Ｓ１の交点を通る方向とし、その向きを正としている。各光路図(図１〜図３)において、Ｘ軸方向は紙面に対して垂直方向であり(紙面の裏面方向を正とし、紙面に向かって反時計回りをＸ回転の正とする。)、Ｙ軸方向はＸ軸とＺ軸により右手系をなす方向(紙面と平行)である。各面の面頂点位置は面頂点座標(Ｘ座標，Ｙ座標，Ｚ座標)で表されており(単位：ｍｍ)、その面の面頂点を中心とするＸ，Ｙ，Ｚの各方向の軸回り回転角度(Ｘ回転，Ｙ回転，Ｚ回転)で面の傾きが表されている(単位：°)。なお、Ｘ軸，Ｙ軸の正方向に対して反時計回りがそれぞれＸ回転，Ｙ回転の回転角度の正方向であり、Ｚ軸の正方向に対して時計回りがＺ回転の正方向である。
【０１５８】
表２，表８，表１４に示すデータは、ワイド端(最短焦点距離状態，Ｗ)での各面Ｓｉの配置を示している。第２，第３プリズムＰ２，Ｐ３の平行移動と回転移動によりズーミングを行うと、第１面Ｓ１を座標基準とする第９面Ｓ９と第１２面Ｓ１２の配置が変化する。表３，表９，表１５に、ワイド端(最短焦点距離状態，Ｗ)，ミドル(中間焦点距離状態，Ｍ)，テレ端(最長焦点距離状態，Ｔ)での第９面Ｓ９と第１２面Ｓ１２の面頂点座標と回転角度のデータを示す。ズーミングにおいて、平行移動はＹ−Ｚ平面に沿って行われるためＸ＝０であり、回転移動はＸ回転で行われるためＹ回転，Ｚ回転の回転角度＝０である。また、像面Ｓ１５の位置もズーミングにおいて変化しない。
【０１５９】
表１，表７，表１３中、＊印が付された面Ｓｉは自由曲面であり、その面頂点を原点とするローカルな直交座標系(ｘ，ｙ，ｚ)を用いた以下の式(FS)で定義される。表４〜表６，表１０〜表１２，表１６〜表１８に、各実施例の自由曲面データを示す。ただし、表記の無い項の係数は０であり(すべての自由曲面についてｋ＝０である。)、すべてのデータに関してＥ−ｎ＝×１０-nである。
【０１６０】
【数６】
2008015114.tif 000008
…(FS)
【０１６１】
ただし、式(FS)中、
ｚ：高さｈの位置でのｚ軸方向の変位量(面頂点基準)、
ｈ：ｚ軸に対して垂直な方向の高さ(ｈ2＝ｘ2＋ｙ2)、
ｃ：近軸曲率(＝１／曲率半径)、
ｋ：円錐係数、
Ｃj：係数、
であり、自由曲面項は以下の式(FC)で表される。
【０１６２】
【数７】
2008015114.tif 000009
…(FC)
【０１６３】
表１９に、各実施例の全系の焦点距離(単位：ｍｍ)，Ｆナンバー(Ｆｎｏ)，半画角(単位：°)及び絞りＳＴの半径(単位：ｍｍ)を示す。また、表２０に各実施例の全系・各群の焦点距離及びパワーを示し、表２１に各実施例の条件式対応値等を示す。なお、表１９〜表２１において、Ｘ方向は水平方向(画面の長辺方向)、Ｙ方向は垂直方向(画面の短辺方向)である。
【０１６４】
実施例１では(表２０)、全系の焦点距離が、Ｘ方向には５．０１ｍｍ(Ｗ)〜９．５２ｍｍ(Ｍ)〜１３．５３ｍｍ(Ｔ)と変化し、Ｙ方向には５．００ｍｍ(Ｗ)〜９．５１ｍｍ(Ｍ)〜１３．５０ｍｍ(Ｔ)と変化する。各群の焦点距離は、ワイド端(Ｗ)からテレ端(Ｔ)にかけて、Ｘ方向には正正負の３群ズーム構成のままであるが、Ｙ方向には正正正の３群ズーム構成から正負正の３群ズーム構成へと変化する。第１群Ｇｒ１の焦点距離は、Ｘ方向には１３６．０６ｍｍでワイド端(Ｗ)からテレ端(Ｔ)まで固定であり、Ｙ方向には１３．２８ｍｍでワイド端(Ｗ)からテレ端(Ｔ)まで固定である。第２群Ｇｒ２の焦点距離は、Ｘ方向には４．３０ｍｍ(Ｗ)〜６．２６ｍｍ(Ｍ)〜７．６８ｍｍ(Ｔ)と変化し、Ｙ方向には９．５１ｍｍ(Ｗ)〜−３３８．９０ｍｍ(Ｍ)〜−２７．４０ｍｍ(Ｔ)と変化する。第３群Ｇｒ３の焦点距離は、Ｘ方向には−８．７０ｍｍ(Ｗ)〜−７．０３ｍｍ(Ｍ)〜−６．３１ｍｍ(Ｔ)と変化し、Ｙ方向には７．４６ｍｍ(Ｗ)〜１５．５７ｍｍ(Ｍ)〜２１．７２ｍｍ(Ｔ)と変化する。
【０１６５】
実施例２では(表２０)、全系の焦点距離が、Ｘ方向には５．０１ｍｍ(Ｗ)〜９．５２ｍｍ(Ｍ)〜１３．５３ｍｍ(Ｔ)と変化し、Ｙ方向には５．００ｍｍ(Ｗ)〜９．５１ｍｍ(Ｍ)〜１３．５０ｍｍ(Ｔ)と変化する。各群の焦点距離は、ワイド端(Ｗ)からテレ端(Ｔ)にかけて、Ｘ方向には正正負の３群ズーム構成のままであるが、Ｙ方向には正正正の３群ズーム構成から正負正の３群ズーム構成へと変化する。第１群Ｇｒ１の焦点距離は、Ｘ方向には２７８．６３ｍｍでワイド端(Ｗ)からテレ端(Ｔ)まで固定であり、Ｙ方向には１３．９３ｍｍでワイド端(Ｗ)からテレ端(Ｔ)まで固定である。第２群Ｇｒ２の焦点距離は、Ｘ方向には４．２６ｍｍ(Ｗ)〜６．２２ｍｍ(Ｍ)〜７．６１ｍｍ(Ｔ)と変化し、Ｙ方向には１０．０４ｍｍ(Ｗ)〜−１０６．６１ｍｍ(Ｍ)〜−２２．８３ｍｍ(Ｔ)と変化する。第３群Ｇｒ３の焦点距離は、Ｘ方向には−８．４８ｍｍ(Ｗ)〜−７．０３ｍｍ(Ｍ)〜−６．３３ｍｍ(Ｔ)と変化し、Ｙ方向には６．９５ｍｍ(Ｗ)〜１３．０９ｍｍ(Ｍ)〜１６．５８ｍｍ(Ｔ)と変化する。
【０１６６】
実施例３では(表２０)、全系の焦点距離が、Ｘ方向には５．０１ｍｍ(Ｗ)〜９．５０ｍｍ(Ｍ)〜１３．４７ｍｍ(Ｔ)と変化し、Ｙ方向には５．０１ｍｍ(Ｗ)〜９．５１ｍｍ(Ｍ)〜１３．４９ｍｍ(Ｔ)と変化する。各群の焦点距離は、ワイド端(Ｗ)からテレ端(Ｔ)にかけて、Ｘ方向には正正負の３群ズーム構成のままであるが、Ｙ方向には正正正の３群ズーム構成から正負正の３群ズーム構成へと変化する。第１群Ｇｒ１の焦点距離は、Ｘ方向には２１７．４３ｍｍでワイド端(Ｗ)からテレ端(Ｔ)まで固定であり、Ｙ方向には１３．８８ｍｍでワイド端(Ｗ)からテレ端(Ｔ)まで固定である。第２群Ｇｒ２の焦点距離は、Ｘ方向には４．２６ｍｍ(Ｗ)〜６．２５ｍｍ(Ｍ)〜７．６７ｍｍ(Ｔ)と変化し、Ｙ方向には９．９８ｍｍ(Ｗ)〜−９７．７７ｍｍ(Ｍ)−２２．２１ｍｍ(Ｔ)と変化する。第３群Ｇｒ３の焦点距離は、Ｘ方向には−８．６７ｍｍ(Ｗ)〜−７．１９ｍｍ(Ｍ)〜−６．４８ｍｍ(Ｔ)と変化し、Ｙ方向には６．８４ｍｍ(Ｗ)〜１２．８７ｍｍ(Ｍ)〜１６．２１ｍｍ(Ｔ)と変化する。
【０１６７】
図４〜図３９の(Ａ)〜(Ｆ)は実施例１〜３の横収差図であり、各焦点距離状態Ｗ，Ｍ，ＴにおけるＸ方向，Ｙ方向の横収差Δｘ，Δｙを示している。また各横収差図は、各図中のローカルな直交座標系(ｘ，ｙ)で表されている像高(単位：ｍｍ)でのｄ線に対する横収差Δｘ，Δｙ(単位：ｍｍ)を示している。なお、収差図のスケールは、縦軸が−０．０２〜０．０２、横軸が−１．０〜１．０である。
【０１６８】
【表１】
2008015114.tif 000010
【０１６９】
【表２】
2008015114.tif 000011
【０１７０】
【表３】
2008015114.tif 000012
【０１７１】
【表４】
2008015114.tif 000013
【０１７２】
【表５】
2008015114.tif 000014
【０１７３】
【表６】
2008015114.tif 000015
【０１７４】
【表７】
2008015114.tif 000016
【０１７５】
【表８】
2008015114.tif 000017
【０１７６】
【表９】
2008015114.tif 000018
【０１７７】
【表１０】
2008015114.tif 000019
【０１７８】
【表１１】
2008015114.tif 000020
【０１７９】
【表１２】
2008015114.tif 000021
【０１８０】
【表１３】
2008015114.tif 000022
【０１８１】
【表１４】
2008015114.tif 000023
【０１８２】
【表１５】
2008015114.tif 000024
【０１８３】
【表１６】
2008015114.tif 000025
【０１８４】
【表１７】
2008015114.tif 000026
【０１８５】
【表１８】
2008015114.tif 000027
【０１８６】
【表１９】
2008015114.tif 000028
【０１８７】
【表２０】
2008015114.tif 000029
【０１８８】
【表２１】
2008015114.tif 000030
【図面の簡単な説明】
【０１８９】
【図１】第１の実施の形態(実施例１)の光学構成図。
【図２】第２の実施の形態(実施例２)の光学構成図。
【図３】第３の実施の形態(実施例３)の光学構成図。
【図４】実施例１のワイド端でのＸ方向のΔｘを示す横収差図。
【図５】実施例１のミドルでのＸ方向のΔｘを示す横収差図。
【図６】実施例１のテレ端でのＸ方向のΔｘを示す横収差図。
【図７】実施例１のワイド端でのＸ方向のΔｙを示す横収差図。
【図８】実施例１のミドルでのＸ方向のΔｙを示す横収差図。
【図９】実施例１のテレ端でのＸ方向のΔｙを示す横収差図。
【図１０】実施例１のワイド端でのＹ方向のΔｘを示す横収差図。
【図１１】実施例１のミドルでのＹ方向のΔｘを示す横収差図。
【図１２】実施例１のテレ端でのＹ方向のΔｘを示す横収差図。
【図１３】実施例１のワイド端でのＹ方向のΔｙを示す横収差図。
【図１４】実施例１のミドルでのＹ方向のΔｙを示す横収差図。
【図１５】実施例１のテレ端でのＹ方向のΔｙを示す横収差図。
【図１６】実施例２のワイド端でのＸ方向のΔｘを示す横収差図。
【図１７】実施例２のミドルでのＸ方向のΔｘを示す横収差図。
【図１８】実施例２のテレ端でのＸ方向のΔｘを示す横収差図。
【図１９】実施例２のワイド端でのＸ方向のΔｙを示す横収差図。
【図２０】実施例２のミドルでのＸ方向のΔｙを示す横収差図。
【図２１】実施例２のテレ端でのＸ方向のΔｙを示す横収差図。
【図２２】実施例２のワイド端でのＹ方向のΔｘを示す横収差図。
【図２３】実施例２のミドルでのＹ方向のΔｘを示す横収差図。
【図２４】実施例２のテレ端でのＹ方向のΔｘを示す横収差図。
【図２５】実施例２のワイド端でのＹ方向のΔｙを示す横収差図。
【図２６】実施例２のミドルでのＹ方向のΔｙを示す横収差図。
【図２７】実施例２のテレ端でのＹ方向のΔｙを示す横収差図。
【図２８】実施例３のワイド端でのＸ方向のΔｘを示す横収差図。
【図２９】実施例３のミドルでのＸ方向のΔｘを示す横収差図。
【図３０】実施例３のテレ端でのＸ方向のΔｘを示す横収差図。
【図３１】実施例３のワイド端でのＸ方向のΔｙを示す横収差図。
【図３２】実施例３のミドルでのＸ方向のΔｙを示す横収差図。
【図３３】実施例３のテレ端でのＸ方向のΔｙを示す横収差図。
【図３４】実施例３のワイド端でのＹ方向のΔｘを示す横収差図。
【図３５】実施例３のミドルでのＹ方向のΔｘを示す横収差図。
【図３６】実施例３のテレ端でのＹ方向のΔｘを示す横収差図。
【図３７】実施例３のワイド端でのＹ方向のΔｙを示す横収差図。
【図３８】実施例３のミドルでのＹ方向のΔｙを示す横収差図。
【図３９】実施例３のテレ端でのＹ方向のΔｙを示す横収差図。
【図４０】２群ズームタイプの共軸光学系において焦点距離が変わる原理を説明するための模式図。
【図４１】図４０に示す共軸光学系のズーミングを示す模式図。
【図４２】２群ズームタイプの非軸光学系において焦点距離が変わる原理を説明するための模式図。
【図４３】図４２に示す非軸光学系をベースレイに沿って展開した状態を示す模式図。
【図４４】図４２に示す非軸光学系において偏芯した反射面を持つ三角プリズムの平行移動によるベースレイの動きを説明するための模式図。
【図４５】図４２に示す非軸光学系において偏芯した反射面を持つ三角プリズムの平行移動及び回転移動によるベースレイの動きを説明するための模式図。
【図４６】図４２に示す非軸光学系のズーミングを示す模式図。
【図４７】図４６に示す非軸光学系をベースレイに沿って展開した状態を示す模式図。
【符号の説明】
【０１９０】
Ｐ１    第１プリズム(第１群，固定群，プリズム光学素子)
ＬＮ    レンズ(第１群，固定群，光学素子)
ＳＴ    絞り(第１群，固定群)
Ｐ２    第２プリズム(第２群，移動群，プリズム光学素子)
Ｐ３    第３プリズム(第３群，移動群，プリズム光学素子)
Ｓ１〜Ｓ１５    第１面〜第１５面
ＺＬ    撮像光学系(ズーム光学系)
Ｇｒ１    第１群(固定群)
Ｇｒ２    第２群(移動群)
Ｇｒ３    第３群(移動群)
ＢＲ    ベースレイ
ＳＲ    撮像素子
【図１】
2008015114.tif 000031
【図２】
2008015114.tif 000032
【図３】
2008015114.tif 000033
【図４】
2008015114.tif 000034
【図５】
2008015114.tif 000035
【図６】
2008015114.tif 000036
【図７】
2008015114.tif 000037
【図８】
2008015114.tif 000038
【図９】
2008015114.tif 000039
【図１０】
2008015114.tif 000040
【図１１】
2008015114.tif 000041
【図１２】
2008015114.tif 000042
【図１３】
2008015114.tif 000043
【図１４】
2008015114.tif 000044
【図１５】
2008015114.tif 000045
【図１６】
2008015114.tif 000046
【図１７】
2008015114.tif 000047
【図１８】
2008015114.tif 000048
【図１９】
2008015114.tif 000049
【図２０】
2008015114.tif 000050
【図２１】
2008015114.tif 000051
【図２２】
2008015114.tif 000052
【図２３】
2008015114.tif 000053
【図２４】
2008015114.tif 000054
【図２５】
2008015114.tif 000055
【図２６】
2008015114.tif 000056
【図２７】
2008015114.tif 000057
【図２８】
2008015114.tif 000058
【図２９】
2008015114.tif 000059
【図３０】
2008015114.tif 000060
【図３１】
2008015114.tif 000061
【図３２】
2008015114.tif 000062
【図３３】
2008015114.tif 000063
【図３４】
2008015114.tif 000064
【図３５】
2008015114.tif 000065
【図３６】
2008015114.tif 000066
【図３７】
2008015114.tif 000067
【図３８】
2008015114.tif 000068
【図３９】
2008015114.tif 000069
【図４０】
2008015114.tif 000070
【図４１】
2008015114.tif 000071
【図４２】
2008015114.tif 000072
【図４３】
2008015114.tif 000073
【図４４】
2008015114.tif 000074
【図４５】
2008015114.tif 000075
【図４６】
2008015114.tif 000076
【図４７】
2008015114.tif 000077